(57)【要約】【課題】    外装筺体内部の温度上昇を回避しつつ発熱部材を効率的に冷却できかつ、構成部材の特性を良好に維持できる電子機器を提供する。【解決手段】電子機器を構成するラジエータブロック４７は、発熱部材から伝達された熱を放熱するラジエータ本体４７２と、外装筺体外部の空気を内部に導入させるための導入口４７１１を有する吸気側ダクト４７１と、冷却ファン４７３と、冷却ファン４７３から吐出された空気を外装筺体外部に排出させるための排出口を有する排気側ダクト４７４とを備える。これら各部材４７１〜４７４は、隣接する部材同士が接続して一体化可能に構成され、一体化することで、導入口４７１１および排出口を介してラジエータブロック４７内部に空気を流通させる空気流通路が形成される。空気流通路は、導入口４７１１および排出口を介してのみラジエータブロック４７外部と連通する。【選択図】 図２１
2007041414.tif 000002
【特許請求の範囲】
【請求項１】
発熱部材と熱伝達可能に接続し前記発熱部材から伝達された熱を放熱する放熱装置と、前記発熱部材および前記放熱装置を内部に収納する外装筺体とを備えた電子機器であって、
前記外装筺体には、外部の空気を内部に導入するための吸気口、および内部の空気を外部に排出するための排気口が形成され、
前記放熱装置は、熱伝導性材料から構成され前記発熱部材から伝達された熱を放熱する放熱装置本体と、前記吸気口と接続可能に構成され前記吸気口を介して前記外装筺体外部の空気を内部に導入させるための導入口を有する吸気側ダクトと、前記吸気口および前記吸気側ダクトを介して前記外装筺体外部の空気を内部に導入させる冷却ファンと、前記排気口と接続可能に構成され前記冷却ファンから吐出された空気を前記排気口を介して前記外装筺体外部に排出させるための排出口を有する排気側ダクトとを備え、
前記放熱装置本体、前記吸気側ダクト、前記冷却ファン、および前記排気側ダクトは、隣接する部材同士が接続して一体化可能に構成され、一体化することで、前記導入口および前記排出口を介して前記放熱装置内部に空気を流通させる空気流通路が形成され、
前記空気流通路は、前記導入口および前記排出口を介してのみ前記放熱装置外部と連通することを特徴とする電子機器。
【請求項２】
請求項１に記載の電子機器において、
前記放熱装置本体は、内部に冷却液体を流通可能に構成され、
熱伝導性材料から構成され、内部に前記冷却液体を流通可能とし、前記発熱部材と熱伝達可能に接続する発熱部材接続部と、
前記発熱部材接続部および前記放熱装置本体を接続し、前記冷却液体を前記発熱部材接続部内から前記放熱装置本体内に導き、再度、前記放熱装置本体内から前記発熱部材接続部内に導く複数の液体循環部材と、
前記複数の液体循環部材における前記冷却液体の流路中に配設され、前記冷却液体を前記複数の液体循環部材を介して強制的に循環させる液体圧送部とを備えていることを特徴とする電子機器。
【請求項３】
請求項２に記載の電子機器において、
前記放熱装置本体は、前記冷却液体を内外に流通可能とする流通部をそれぞれ有し前記冷却液体を一時的に蓄積可能とし互いに対向配置される一対の液体蓄積部と、前記一対の液体蓄積部間に架設され前記一対の液体蓄積部を接続する接続部とを備え、
前記接続部は、互いに平行配置される複数の板体で構成され、
前記複数の板体のうち少なくともいずれかの板体は、内部に前記冷却液体を流通可能とし前記一対の液体蓄積部内と連通するように形成され、
前記一対の液体蓄積部、および前記複数の板体で囲まれる複数の空間は、前記空気流通路の一部を構成することを特徴とする電子機器。
【請求項４】
請求項３に記載の電子機器において、
前記流通部は、管状部材で構成され、一方の端部が前記一対の液体蓄積部の内部に向けてそれぞれ突出するように形成されていることを特徴とする電子機器。
【請求項５】
請求項４に記載の電子機器において、
前記一方の端部は、前記放熱装置を前記外装筺体内に配設した状態で前記液体蓄積部における自重が掛かる垂直方向の略中央部分に位置するように突出していることを特徴とする電子機器。
【請求項６】
請求項３から請求項５のいずれかに記載の電子機器において、
前記空気流通路の上流側から、前記吸気側ダクト、前記放熱装置本体、前記冷却ファン、および前記排気側ダクトの順に配設され、
前記吸気側ダクトの排出口は、前記放熱装置本体における前記空気流通路の流入側を嵌め込み可能に構成され、
前記放熱装置本体および前記冷却ファンの間に配設され、前記冷却ファンと前記放熱装置本体とを接続する固定部材を備え、
前記固定部材は、略筒形状を有し、
前記固定部材の一方の端部の開口は、前記放熱装置本体における前記空気流通路の流出側を嵌め込み可能に形成され、
前記固定部材の他方の端部の開口は、前記冷却ファンの吸入口に対応した形状を有していることを特徴とする電子機器。
【請求項７】
請求項１から請求項６のいずれかに記載の電子機器において、
前記冷却ファンは、ファンの回転により吸入した空気を回転接線方向に吐出する遠心力ファンにより構成されていることを特徴とする電子機器。
【請求項８】
請求項１から請求項７のいずれかに記載の電子機器において、
当該電子機器は、光源装置と、前記光源装置から射出された光束を画像情報に応じて変調して光学像を形成する光変調素子と、前記光学像を拡大投射する投射光学装置とを備えたプロジェクタであることを特徴とする電子機器。
【発明の詳細な説明】
【技術分野】
【０００１】
本発明は、電子機器に関する。
【背景技術】
【０００２】
従来、光源から射出された光束を画像情報に応じて変調する光変調素子と、光変調素子で変調された光束を拡大投射する投射光学装置とを備えるプロジェクタ（電子機器）が知られている。
光変調素子としては、例えば、１対の基板間に液晶が密封封入されたアクティブマトリックス駆動方式の光変調素子（液晶パネル）が一般的に採用される。また、一般的に、光変調素子の光束入射側および光束射出側には、所定の偏光軸を有する光束を透過させる入射側偏光板および射出側偏光板がそれぞれ配置される。
上記のような光変調素子、入射側偏光板、および射出側偏光板等を備えたプロジェクタでは、光源からの光束により、液晶層、ブラックマスク、および各種配線等による光吸収により光変調素子が温度上昇しやすく、また、偏光板にも熱が発生しやすい。
このため、上記のような発熱部材（光変調素子、偏光板等）を内部に有するプロジェクタにおいて、発熱部材の温度上昇を緩和するために、冷却液体を用いた冷却装置を備えた構成が提案されている。
すなわち、特許文献１に記載の冷却装置は、光変調素子と光源側の偏光板とを離隔した状態でそれぞれ支持し、内部に冷却液体が充填される冷却室を備えている。また、この冷却室は、内部に冷却液体を流通可能なチューブ等によりラジエータおよび流体ポンプと連通接続されている。このため、内部の冷却液体は、チューブ等を介して冷却室〜ラジエータ〜流体ポンプ〜冷却室という流路を循環する。そして、このような構成により、光源から照射される光束により光変調素子および入射側偏光板等の発熱部材における光透過領域に生じる熱を直接、冷却液体に放熱させている。
【０００３】
【特許文献１】特開平１−１５９６８４号公報
【発明の開示】
【発明が解決しようとする課題】
【０００４】
しかしながら、特許文献１に記載の冷却装置では、発熱部材から冷却液体を介してラジエータに伝達された熱が発熱部材や他の部材に伝達され、プロジェクタ内部の温度上昇を引き起こす恐れがある。
このような問題を解決するために、ラジエータ近傍に冷却ファンを配設し、冷却ファンによりラジエータにプロジェクタ外部の冷却空気を送風する、あるいは、冷却ファンによりラジエータ近傍の空気を吸入し、ラジエータの放熱特性を向上させる構成が考えられる。
しかしながら、上記のような構成では、プロジェクタ内部に空気が流通する流路が形成されてしまう。このため、例えば、冷却ファンによりラジエータに冷却空気を送風する構成とした場合には、プロジェクタ外部の空気がプロジェクタ内部に取り込まれ、取り込まれた空気に含まれる塵埃等がプロジェクタ内部の構成部材に付着してしまう。また、例えば、冷却ファンによりラジエータ近傍の空気を吸入する構成とした場合には、プロジェクタ内部に塵埃等が含まれていると、前記流路に空気が取り込まれる際に塵埃等も取り込まれ、上記同様にプロジェクタ内部の構成部材に塵埃等が付着してしまう。したがって、プロジェクタの構成部材の特性（照度等）を劣化させる恐れがある。
【０００５】
本発明の目的は、外装筐体内部の温度上昇を回避しつつ発熱部材を効率的に冷却できかつ、構成部材の特性を良好に維持できる電子機器を提供することにある。
【課題を解決するための手段】
【０００６】
本発明の電子機器は、発熱部材と熱伝達可能に接続し前記発熱部材から伝達された熱を放熱する放熱装置と、前記発熱部材および前記放熱装置を内部に収納する外装筺体とを備えた電子機器であって、前記外装筺体には、外部の空気を内部に導入するための吸気口、および内部の空気を外部に排出するための排気口が形成され、前記放熱装置は、熱伝導性材料から構成され前記発熱部材から伝達された熱を放熱する放熱装置本体と、前記吸気口と接続可能に構成され前記吸気口を介して前記外装筺体外部の空気を内部に導入させるための導入口を有する吸気側ダクトと、前記吸気口および前記吸気側ダクトを介して前記外装筺体外部の空気を内部に導入させる冷却ファンと、前記排気口と接続可能に構成され前記冷却ファンから吐出された空気を前記排気口を介して前記外装筺体外部に排出させるための排出口を有する排気側ダクトとを備え、前記放熱装置本体、前記吸気側ダクト、前記冷却ファン、および前記排気側ダクトは、隣接する部材同士が接続して一体化可能に構成され、一体化することで、前記導入口および前記排出口を介して前記放熱装置内部に空気を流通させる空気流通路が形成され、前記空気流通路は、前記導入口および前記排出口を介してのみ前記放熱装置外部と連通することを特徴とする。
【０００７】
ここで、発熱部材としては、駆動により熱を発する部材（例えば、ＣＰＵ(Central Processing Unit)等の回路素子や光源装置）の他、前記部材に生じた熱が伝達されることにより温度上昇する部材や、前記光源装置からの光束の照射により熱が発生する部材等を含むものである。
また、発熱部材と放熱装置（放熱装置本体）との熱伝達は、発熱部材と放熱装置本体とを直接、熱伝達可能に接続する構成の他、他の部材（導熱部材）を介して熱伝達可能に接続する構成を採用できる。なお、前記導熱部材としては、物質の移動を伴わず熱が導熱部材中を伝わる、所謂、熱伝導を利用した導熱部材や、内部に冷却液体等の冷媒を有して該冷媒の移動に伴って熱移動を生じる、所謂対流熱伝達を利用した導熱部材のいずれを採用してもよい。
【０００８】
本発明によれば、発熱部材から放熱装置本体に伝達された熱を、冷却ファンによる放熱装置本体への冷却空気の送風、あるいは、冷却ファンによる放熱装置本体近傍の空気の吸入により、放熱装置本体を冷却して、発熱部材から放熱装置本体への放熱特性を良好にすることができ、発熱部材を効率的に冷却できる。
また、放熱装置本体を冷却することで、放熱装置本体から他の部材に熱が伝達されることを防止でき、外装筺体内部の温度上昇を回避できる。
さらに、放熱装置内部に形成される空気流通路が吸気側ダクトの導入口と排気側ダクトの排出口を介してのみ放熱装置外部と連通する。そして、外装筺体内部に放熱装置を配置した場合には、吸気側ダクトの導入口と外装筺体の吸気口とが接続し、排気側ダクトの排出口と外装筺体の排気口とが接続する。このことにより、冷却ファンにより吸気口を介して外装筺体外部の冷却空気を放熱装置内部に取り込んだ場合であっても、前記冷却空気に含まれる塵埃等が電子機器を構成する内部の部材に付着することがない。また、外装筺体内部に塵埃等が含まれている場合であっても、外装筺体内部において、放熱装置を除く他の空間の空気が空気流通路に取り込まれることがなく、外装筺体内部の塵埃等が電子機器を構成する内部の部材に付着することがない。このため、電子機器を構成する内部の部材の特性を良好に維持できる。
また、空気流通路と放熱装置外部とを隔離した状態とすることで、外装筺体外部からの空気の取り込み口（吸気口、あるいは吸気側ダクトの導入口）に塵埃等を除去するエアーフィルタを設ける必要がない。このため、電子機器の低コスト化を図れる。
したがって、外装筺体内部の温度上昇を回避しつつ発熱部材を効率的に冷却できかつ、構成部材の特性を良好に維持でき、本発明の目的を達成できる。
【０００９】
本発明の電子機器では、前記放熱装置本体は、内部に冷却液体を流通可能に構成され、熱伝導性材料から構成され、内部に前記冷却液体を流通可能とし、前記発熱部材と熱伝達可能に接続する発熱部材接続部と、前記発熱部材接続部および前記放熱装置本体を接続し、前記冷却液体を前記発熱部材接続部内から前記放熱装置本体内に導き、再度、前記放熱装置本体内から前記発熱部材接続部内に導く複数の液体循環部材と、前記複数の液体循環部材における前記冷却液体の流路中に配設され、前記冷却液体を前記複数の液体循環部材を介して強制的に循環させる液体圧送部とを備えていることが好ましい。
本発明では、発熱部材と放熱装置とが発熱部材接続部、複数の液体循環部材、および冷却液体による対流熱伝達を利用した導熱部材により熱伝達可能に接続されている。このことにより、発熱部材で発生した熱を導熱部材によって、発熱部材から離れた位置（外装筺体内の空きスペース等）に導くことができ、放熱装置を発熱部材に近接した位置に設置しなくてもよい。このため、電子機器の設計の自由度が高まるとともに、電子機器の小型化の障害となることも回避できる。
また、液体圧送部により複数の液体循環部材を介して強制的に循環させているので、発熱部材により温められた発熱部材接続部内の冷却液体を複数の液体循環部材を介して放熱装置本体内部へと流出させ、また、放熱装置にて冷却された冷却液体を複数の液体循環部材を介して発熱部材接続部内に流入させ、発熱部材接続部内の冷却液体の入れ換えを確実に実施できる。したがって、発熱部材と冷却液体との間で常に大きい温度差を確保し、冷却液体と発熱部材との熱交換効率を向上させることができる。
【００１０】
本発明の電子機器では、前記放熱装置本体は、前記冷却液体を内外に流通可能とする流通部をそれぞれ有し前記冷却液体を一時的に蓄積可能とし互いに対向配置される一対の液体蓄積部と、前記一対の液体蓄積部間に架設され前記一対の液体蓄積部を接続する接続部とを備え、前記接続部は、互いに平行配置される複数の板体で構成され、前記複数の板体のうち少なくともいずれかの板体は、内部に前記冷却液体を流通可能とし前記一対の液体蓄積部内と連通するように形成され、前記一対の液体蓄積部、および前記複数の板体で囲まれる複数の空間は、前記空気流通路の一部を構成することが好ましい。
本発明では、放熱装置本体は、一対の液体蓄積部を備え、循環する冷却流体を一時的に蓄積可能に構成されている。このことにより、冷却液体に気泡や塵埃等が含まれている場合であっても、一対の液体蓄積部内に冷却液体が一時的に蓄積された際に、気泡等を浮力により上昇させて液体蓄積部内の鉛直方向上方側に溜めることができる。このため、一対の液体蓄積部により、循環する冷却液体に含まれる気泡等を除去でき、気泡等を取り込むことによる液体圧送部の不具合等を回避できる。
また、一対の液体蓄積部、および接続部を構成する複数の板体で囲まれる複数の空間に空気が流通する構成としているので、前記空気と接触する接触面積を大きくすることができ、放熱装置本体の冷却効率を向上させることができる。
【００１１】
本発明の電子機器では、前記流通部は、管状部材で構成され、一方の端部が前記一対の液体蓄積部の内部に向けてそれぞれ突出するように形成されていることが好ましい。
本発明では、流通部の一方の端部が液体蓄積部の内部に向けて突出するように形成されている。このことにより、液体蓄積部の内部が全て冷却液体で満たされていない場合でも、該冷却液体の液面よりも鉛直方向下方側に流通部の一方の端部を位置付けることができ、流通部を介して液体蓄積部内部に冷却液体を流入させる際に内部の冷却液体に空気を混入させることがなく、また、流通部を介して液体蓄積部内部の冷却液体を流出させる際に空気を混入させることなく冷却液体のみを外部へと流出させることができる。したがって、気泡等を取り込むことによる液体圧送部の不具合等を効果的に回避できる。
【００１２】
本発明の電子機器では、前記一方の端部は、前記放熱装置を前記外装筺体内に配設した状態で前記液体蓄積部における自重が掛かる垂直方向の略中央部分に位置するように突出していることが好ましい。
本発明では、流通部の一方の端部は、液体蓄積部における垂直方向略中央部分まで突出している。このことにより、液体蓄積部の内部が全て冷却液体で満たされていない場合でも、該冷却液体の液面よりも鉛直方向下方側に流通部の一方の端部をより確実に位置付けることができる。
また、流通部の一方の端部を上記のように形成しておけば、例えば、電子機器を所定の姿勢で設置した場合、および、前記所定の姿勢に対して鉛直方向に逆の姿勢で設置した場合の双方において、前記一方の端部を液体蓄積部内の同一の位置に位置付けることができる。このため、上記の双方の姿勢において、冷却液体の液面よりも鉛直方向下方側に流通部の一方の端部を位置付けることが可能となる。
【００１３】
本発明の電子機器では、前記空気流通路の上流側から、前記吸気側ダクト、前記放熱装置本体、前記冷却ファン、および前記排気側ダクトの順に配設され、前記吸気側ダクトの排出口は、前記放熱装置本体における前記空気流通路の流入側を嵌め込み可能に構成され、前記放熱装置本体および前記冷却ファンの間に配設され、前記冷却ファンと前記放熱装置本体とを接続する固定部材を備え、前記固定部材は、略筒形状を有し、前記固定部材の一方の端部の開口は、前記放熱装置本体における前記空気流通路の流出側を嵌め込み可能に形成され、前記固定部材の他方の端部の開口は、前記冷却ファンの吸入口に対応した形状を有していることが好ましい。
本発明によれば、放熱装置本体および冷却ファンの間に固定部材を設け、固定部材に冷却ファンの吸入口に対応した開口部を形成しておくことで、例えば、固定部材を用いない構成と比較して、放熱装置本体の大きさを自由に設定でき、すなわち、放熱装置本体における複数の空間の占める面積を冷却ファンの吸入口の面積よりも大きく設定でき、放熱装置の設計の自由度を向上できる。
また、吸気側ダクトの排出口に放熱装置本体を嵌め込み可能とし、固定部材の一方の端部の開口に放熱装置本体を嵌め込み可能としているので、吸気側ダクト、放熱装置本体、および固定部材の組み立てを簡単に実施できる。
さらに、吸気側ダクトおよび固定部材を上述した形状とすることで、吸気側ダクトおよび放熱装置本体の間、放熱装置本体および固定部材の間、固定部材および冷却ファンの間から空気が漏れることを効果的に防止できる。
【００１４】
本発明の電子機器では、前記冷却ファンは、ファンの回転により吸入した空気を回転接線方向に吐出する遠心力ファンにより構成されていることが好ましい。
本発明では、冷却ファンは、遠心力ファン、すなわち、シロッコファンで構成されている。このことにより、空気流通路を略Ｌ字状の流通路で形成できる。このため、例えば、冷却ファンを軸流ファンで構成し空気流通路を略直線状の流通路で形成した構成と比較して、吸気側ダクトや排気側ダクトの筒状軸方向の長さを短く設定でき、放熱装置の小型化を図れる。また、上記のように構成することで、外装筺体内部において、空きスペースとなりやすい角部分の空間に放熱装置を設置することができ、電子機器の設計の自由度が向上する。
【００１５】
本発明の電子機器では、当該電子機器は、光源装置と、前記光源装置から射出された光束を画像情報に応じて変調して光学像を形成する光変調素子と、前記光学像を拡大投射する投射光学装置とを備えたプロジェクタであることが好ましい。
ところで、プロジェクタには、光源装置、光変調素子、および投射光学装置等の種々の光学部品が用いられる。このような光学部品に塵埃等が付着した場合には、投影画像の照度が低下し、あるいは、光学像に塵埃等による不要な像が入り込み、各構成部材の特性が劣化しやすい。
本発明によれば、上述したように各構成部材に塵埃等が付着することを回避できる電子機器を、プロジェクタとすることで、光源装置、光変調素子、および投射光学装置等の種々の光学部品の特性を効果的に維持できる。
【発明を実施するための最良の形態】
【００１６】
以下、本発明の実施の一形態を図面に基づいて説明する。
〔１．外観構成〕
図１は、電子機器としてのプロジェクタ１の外観を示す斜視図である。
プロジェクタ１は、光源から射出される光束を画像情報に応じて変調して光学像を形成し、形成した光学像をスクリーン（図示略）上に拡大投射するものである。このプロジェクタ１は、図１に示すように、略直方体状の外装筺体２、およびこの外装筺体２から一部が露出する投射光学装置としての投射レンズ３を備える。
投射レンズ３は、筒状の鏡筒内に複数のレンズが収納された組レンズとして構成され、プロジェクタ１の装置本体により画像情報に応じて変調された光学像を拡大投射する。
【００１７】
外装筺体２は、合成樹脂製の筺体であり、プロジェクタ１の装置本体を収納する。この外装筺体２は、図１に示すように、装置本体の上部部分を覆うアッパーケース２１と、ロアーケース２２とを備える。
アッパーケース２１は、図１に示すように、外装筺体２の天面、側面の一部、背面の一部、および前面をそれぞれ形成する天面部２１Ａ、側面部２１Ｂ，２１Ｃ、背面部２１Ｄ、前面部２１Ｅを含んで構成される。
【００１８】
天面部２１Ａは、図１に示すように、平面視略矩形形状を有し、左右方向略中央部分が平面形状を有し、左右の両側面側が下方に傾斜した形状を有する。また、この天面部２１Ａは、図１に示すように、前方から見て右側部分の一部が右側に突出した形状を有する。
この天面部２１Ａにおいて、前方側であって、前方から見て右側部分には、図１に示すように、下方に向けて窪み底部分に開口部２１Ａ１が形成されている。そして、この開口部２１Ａ１は、投射レンズ３を操作可能としスクリーン（図示略）上に投射された投影画像のフォーカス調整およびズーム調整を実施するための各種回転つまみ３Ａを露出させる。
また、この天面部２１Ａにおいて、開口部２１Ａ１の後方側には、図１に示すように、プロジェクタ１の起動・調整操作を実施するための操作パネル２５が設けられている。操作パネル２５の操作ボタン２５１を適宜押下すると、操作ボタン２５１内部に配置される図示しない回路基板に実装されたタクトスイッチと接触し、所望の操作が可能となる。
なお、前述した操作パネル２５の回路基板は、制御基板（図示略）と電気的に接続され、操作ボタン２５１の押下に伴う操作信号は、制御基板に出力される。
さらに、この天面部２１Ａにおいて、前方側から見て操作パネル２５の左側部分には、図１に示すように、プロジェクタ１外部に音声を出力するためのスピーカ孔２６が形成されている。このスピーカ孔２６の内側には、制御基板（図示略）により制御され、所定の音声を出力するスピーカが配置されている。
【００１９】
側面部２１Ｂは、図１に示すように、天面部２１Ａにおける前方から見て右側の長辺方向端縁から略垂下し、天面部２１Ａと同様に、前方側の一部が右側に膨出した形状を有している。また、側面部２１Ｃは、具体的な図示は省略するが、天面部２１Ａにおける前方から見て左側の長辺方向端縁から略垂下した部分である。
これら側面部２１Ｂ，２１Ｃのうち側面部２１Ｂにおいて、前方側の膨出した部分には、図１に示すように、下端縁から上方側にかけて平面視略コ字状の切り欠き２１Ｂ１が形成されている。
【００２０】
背面部２１Ｄは、具体的な図示は省略するが、天面部２１Ａの短辺方向後方側端縁から略垂下した部分である。
前面部２１Ｅは、図１に示すように、天面部２１Ａの短辺方向前方側端縁から略垂下した部分である。
この前面部２１Ｅにおいて、前方から見て右側部分には、図１に示すように、平面視円形状の開口部２１Ｅ１が形成されている。この開口部２１Ｅ１は、図１に示すように、開口部２１Ａ１と接続し、投射レンズ３の先端部分を露出させる。
また、この前面部２１Ｅにおいて、前方から見て開口部２１Ｅ１の右側部分には、図１に示すように、平面視矩形状の排気口２１Ｅ２が形成されている。そして、この排気口２１Ｅ２は、装置本体を構成する後述するラジエータブロックの排気側ダクトの排出口と接続する。
【００２１】
さらに、この前面部２１Ｅにおいて、前方から見て開口部２１Ｅ１の左側部分には、図１に示すように、平面視矩形状の開口部２１Ｅ３が形成されている。そして、この開口部２１Ｅ３には、図１に示すように、排気ユニット６を構成する後述する排気ファンから吐出された空気を所定方向に整流するルーバ２７が取り付けられている。
【００２２】
ロアーケース２２は、図１に示すように、外装筺体２の底面、側面の一部、および背面の一部をそれぞれ形成する底面部２２Ａ、側面部２２Ｂ，２２Ｃ（図２参照）、および背面部２２Ｄ（図２参照）を含んで構成される。
底面部２２Ａは、具体的な図示は省略するが、略矩形状の平坦面で構成され、天面部２１Ａと同様に前方から見て右側部分の一部が右側に突出した形状を有する。そして、この底面部２２Ａには、机等の接地面に接地する複数の脚部が形成されている。
側面部２２Ｂは、底面部２２Ａにおける前方から見て右側の長辺方向端縁から立設し、底面部２２Ａと同様に、前方側の一部が右側に膨出した形状を有している。また、側面部２２Ｃは、底面部２２Ａにおける前方から見て左側の長辺方向端縁から立設した部分である。
これら側面部２２Ｂ，２２Ｃのうち側面部２２Ｂにおいて、前方側の膨出した部分には、図１または図２に示すように、上端縁から下方側にかけて平面視略コ字状の切り欠き２２Ｂ１が形成されている。アッパーケース２１とロアーケース２２とを組み立てた状態では、切り欠き２１Ｂ１と切り欠き２２Ｂ１とが接続し、平面視矩形状の吸気口２８が形成される。そして、この吸気口２８は、装置本体を構成する後述するラジエータブロックの吸気側ダクトの導入口と接続する。
【００２３】
背面部２２Ｄは、底面部２２Ａの短辺方向後方側端縁から立設した部分である。
そして、背面部２１Ｄ，２２Ｄには、図示は省略するが、外部の電子機器からの画像信号、音声信号等を入力するための複数の接続端子や、外部からの電力供給を受けるためのインレットコネクタ等が配設されている。
【００２４】
〔２．内部構成〕
図２は、プロジェクタ１の内部構成を示す図である。
外装筺体２の内部には、図２に示すように、プロジェクタ１の装置本体が収容されている。この装置本体は、光学装置４と、電源ユニット５と、排気ユニット６等を含んで構成される。
なお、装置本体は、図示は省略するが、光学装置４、電源ユニット５、および排気ユニット６の他、光学装置４の上方側に配置されプロジェクタ１全体を制御する制御基板等を備えている。
【００２５】
〔３．光学装置の概略構成〕
図３および図４は、光学装置４の概略構成を示す斜視図である。具体的に、図３は、光学装置４を上方側から見た斜視図である。図４は、光学装置４を下方側から見た斜視図である。
図５は、光学装置４の光学系を模式的に示す平面図である。
光学装置４は、図２に示すように、外装筺体２の長手方向に沿って左右方向に延び、一方の端部が前方に延びる平面視略Ｌ字形状を有している。この光学装置４は、図３ないし図５に示すように、インテグレータ照明光学系４１（図５）、色分離光学系４２（図５）、リレー光学系４３（図５）、光学装置本体４４（図５）、光学部品用筐体４５、液体圧送部４６（図３または図４）と、放熱装置としてのラジエータブロック４７（図３または図４）と、発熱部材接続部としての偏光変換素子保持体４８（図３または図４）と、複数の液体循環部材４９（図３または図４）とを備える。なお、光学装置本体４４、液体圧送部４６、ラジエータブロック４７、偏光変換素子保持体４８、複数の液体循環部材４９の詳細な構成については、後述する。
インテグレータ照明光学系４１は、光学装置本体４４を構成する後述する液晶パネルの画像形成領域を略均一に照明するための光学系である。このインテグレータ照明光学系４１は、図５に示すように、光源装置４１１と、第１レンズアレイ４１２と、第２レンズアレイ４１３と、偏光変換素子４１４と、重畳レンズ４１５とを備える。
【００２６】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図５では、放物面鏡を採用しているが、これに限らず、楕円面鏡で構成し、光束射出側に該楕円面鏡により反射された光束を平行光とする平行化凹レンズを採用した構成としてもよい。
第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置本体４４の後述する液晶パネル上に結像させる機能を有している。
【００２７】
偏光変換素子４１４は、第２レンズアレイ４１３と重畳レンズ４１５との間に配置され、第２レンズアレイ４１３からの光を略１種類の偏光光束に変換するものである。この偏光変換素子４１４は、偏光変換素子本体４１４１（図１７または図１８参照）と、遮光部材４１４２（図１８参照）とを備える。
偏光変換素子本体４１４１は、平板状の偏光変換素子アレイ４１４１Ａ（図１７または図１８参照）と、この偏光変換素子アレイ４１４１Ａの光束射出側に設置された位相差板４１４１Ｂ（図１７または図１８参照）とを備える。
【００２８】
偏光変換素子アレイ４１４１Ａは、偏光方向がランダムな入射光束を２種類の直線偏光光束に分離して射出する。より具体的に、偏光変換素子アレイ４１４１Ａは、図示は省略するが、入射光束に対して傾斜配置された複数の偏光分離膜と、各偏光分離膜の間に交互に並行配置された反射膜と、これらの偏光分離膜および反射膜の間に介在配置された板ガラスとを備える。
前記偏光分離膜は、ブリュースター角が略４５°に設定された誘電体多層膜等で構成されている。そして、前記偏光分離膜は、入射光束において、偏光分離膜の入射面に対して平行な偏光軸を有する一方の直線偏光光束（Ｓ偏光光束）を反射し、このＳ偏光光束と直交する偏光軸を有する直線偏光光束（Ｐ偏光光束）を透過するものであり、入射光束を２種類の直線偏光光束に分離している。
前記反射膜は、例えば、高反射性を有するＡｌ，Ａｕ，Ａｇ，Ｃｕ，Ｃｒ等の単一金属材料や、これら複数種類の金属を含む合金等で構成され、前記偏光分離膜で反射された直線偏光光束（Ｓ偏光光束）を反射する。
前記板ガラスは、光束が内部を通過するものであり、通常、白板ガラス等から形成されている。
位相差板４１４１Ｂは、前記偏光分離膜を透過する直線偏光光束（Ｐ偏光光束）の偏光軸を９０°回転させるものである。この位相差板４１４１Ｂは、偏光変換素子アレイ４１４１Ａの光束射出側端面において、照明光軸に沿った方向で眺めた場合に、前記偏光分離膜に対応する位置に設けられている。
【００２９】
遮光部材４１４２は、ステンレス等の金属製の板状部材として構成され、偏光変換素子本体４１４１の光束入射側に配置される（図１８参照）。
この遮光部材４１４２には、上下方向に延びる矩形状の開口部４１４２Ａ（図１８参照）が複数形成されている。これら開口部４１４２Ａは、偏光変換素子本体４１４１と遮光部材４１４２とを組み合わせた状態で光束入射側から照明光軸に沿った方向に眺めた場合に、偏光変換素子本体４１４１の前記偏光分離膜に対応する位置（前記位相差板に対応する位置）に形成されている。換言すれば、遮光部材４１４２には、偏光変換素子本体４１４１と遮光部材４１４２とを組み合わせた状態で光束入射側から照明光軸に沿った方向に眺めた場合に、前記反射膜を遮蔽して、第２レンズアレイ４１３を介し前記反射膜に直接向う光束を遮蔽する遮光部４１４２Ｂ（図１８参照）が形成されている。
【００３０】
ところで、偏光光束を変調するタイプの液晶パネルを用いたプロジェクタでは、１種類の偏光光束しか利用できないため、ランダムな偏光光束を発する光源装置４１１からの光の略半分を利用できない。このため、上述した偏光変換素子４１４を用いることで、光源装置４１１からの射出光を略１種類の偏光光束に変換し、光学装置本体４４での光の利用効率を高めている。
【００３１】
色分離光学系４２は、図５に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図５に示すように、入射側レンズ４３１、リレーレンズ４３３、および反射ミラー４３２，４３４を備え、色分離光学系４２で分離された赤色光を光学装置本体４４の後述する赤色光用の液晶パネルまで導く機能を有している。
【００３２】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置本体４４の後述する青色光用の液晶パネルに達する。このフィールドレンズ４１８は、第２レンズアレイ４１３から射出された各部分光束をその中心軸（主光線）に対して平行な光束に変換する。他の緑色光用、赤色光用の液晶パネルの光入射側に設けられたフィールドレンズ４１８も同様である。
【００３３】
ダイクロイックミラー４２１を透過した赤色光と緑色光のうちで、緑色光はダイクロイックミラー４２２によって反射し、フィールドレンズ４１８を通って光学装置本体４４の後述する緑色光用の液晶パネルに達する。一方、赤色光はダイクロイックミラー４２２を透過してリレー光学系４３を通り、さらにフィールドレンズ４１８を通って光学装置本体４４の後述する赤色光用の液晶パネルに達する。なお、赤色光にリレー光学系４３が用いられているのは、赤色光の光路の長さが他の色光の光路の長さよりも長いため、光の発散等による光の利用効率の低下を防止するためである。すなわち、入射側レンズ４３１に入射した部分光束をそのまま、フィールドレンズ４１８に伝えるためである。
【００３４】
光学装置本体４４は、図５に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される偏光素子としての入射側偏光板４４２および射出側偏光板４４３と、クロスダイクロイックプリズム４４４とが一体的に形成されたものである。
【００３５】
液晶パネル４４１は、ガラスなどからなる一対の基板４４１Ｃ，４４１Ｄ（図１２参照）に電気光学物質である液晶が密閉封入された構成を有している。一対の基板４４１Ｃ，４４１Ｄのうち、一方の基板４４１Ｃは、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、ＴＦＴ(Thin Film Transistor)等のスイッチング素子とを有している。また、他の基板４４１Ｄは、基板４４１Ｃに対して所定間隔を空けて対向配置される対向基板であり、所定の電圧Ｖcomが印加される共通電極を有している。また、一対の基板４４１Ｃ，４４１Ｄには、図示しない制御基板と電気的に接続し、前記走査線、前記データ線、前記スイッチング素子、および前記共通電極等に所定の駆動信号を出力する回路基板としてのフレキシブルプリント基板４４１Ｅ（図６ないし図８参照）が接続されている。このフレキシブルプリント基板４４１Ｅを介して前記制御基板から駆動信号を入力することで、所定の前記画素電極と前記共通電極との間に電圧が印加され、該画素電極および共通電極間に介在する液晶の配向状態が制御され、入射側偏光板４４２から射出された偏光光束の偏光方向が変調される。さらに、一対の基板４４１Ｃ，４４１Ｄの外面には、熱伝導性を有する透光性基板としての一対の防塵ガラス４４１Ｆ１，４４１Ｆ２（図１２参照）が貼り付けられている。この一対の防塵ガラス４４１Ｆ１，４４１Ｆ２により、液晶パネル４４１外面に塵埃が付着しても、塵埃がフォーカス位置からずれた状態となり、該塵埃が投射画像上の表示影となることがない。これら一対の防塵ガラス４４１Ｆ１，４４１Ｆ２としては、例えば、サファイア、水晶、ＹＡＧ(Yttrium Aluminum Garnet)等の材料を採用できる。
そして、この液晶パネル４４１において、駆動基板４４１Ｃの外形形状は対向基板４４１Ｄの外形形状よりも大きく設定される（図１２参照）。また、駆動基板４４１Ｃとこの駆動基板４４１Ｃに貼り付けられる防塵ガラス４４１Ｆ１の外形形状が略同一に設定される。さらに、対向基板４４１Ｄとこの対向基板４４１Ｄに貼り付けられる防塵ガラス４４１Ｆ２の外形形状が略同一に設定される。すなわち、この液晶パネル４４１は、光束入射側に向うにしたがって、外形形状が小さくなる段付状に形成されている。
【００３６】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光束のみ透過させ、その他の光束を吸収するものである。この入射側偏光板４４２は、例えば、サファイアガラスまたは水晶等の透光性基板上に偏光膜が貼付された構成を有している。
射出側偏光板４４３は、入射側偏光板４４２と略同様の構成であり、液晶パネル４４１から射出された光束のうち、入射側偏光板４４２における光束の透過軸と直交する偏光軸を有する光束のみ透過させ、その他の光束を吸収するものである。
【００３７】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００３８】
光学部品用筐体４５は、図３ないし図５に示すように、内部に所定の照明光軸Ａ（図５）が設定され、上述した光学部品４１〜４３、および光学装置本体４４を照明光軸Ａに対する所定位置に収納配置する。なお、本実施形態では、光学部品用筐体４５は、熱伝導性を有する部材、例えば、金属製部材から構成されている。また、光学部品用筐体４５は、金属製部材に限らず、合成樹脂製の成型品としてもよい。この光学部品用筐体４５は、図３または図４に示すように、光学部品４１〜４３、および光学装置本体４４を収納する部品収納部材４５１と、部品収納部材４５１における上方側の開口部分を閉塞する蓋状部材４５２とで構成される。
【００３９】
このうち、部品収納部材４５１は、光学部品用筐体４５の底面、前面、および側面をそれぞれ構成する。この部品収納部材４５１は、図３または図４に示すように、光源装置収納部４５１１と、部品収納部４５１２とが一体化されたものである。
光源装置収納部４５１１は、図４に示すように、下方側端面に開口部４５１１Ａを有する容器状に形成され、開口部４５１１Ａを介して内部に光源装置４１１を収納する部分である。
この光源装置収納部４５１１において、前方側の側面には、図３または図４に示すように、光源装置４１１内部の空気を外部に排出するための複数の排出孔４５１１Ｂが形成されている。
また、この光源装置収納部４５１１において、部品収納部４５１２との接続部分には、具体的な図示は省略するが、光源装置４１１から射出される光束が通過するように開口が形成されている。
【００４０】
部品収納部４５１２は、上方側端面に図示しない開口部を有する容器状に形成され、内部に上述した光学部品４１２〜４１５，４１８，４２１〜４２３，４３１〜４３４，４４を収納する部分である。
この部品収納部４５１２において、内側面には、具体的な図示は省略するが、上述した光学部品４１２〜４１５，４１８，４２１〜４２３，４３１〜４３４を上方からスライド式に嵌め込むための複数の溝部が形成されている。
また、この部品収納部４５１２において、側面の正面部分には、図３に示すように、投射レンズ３を光学装置４に対して所定位置に設置するための投射レンズ設置部４５１２Ａが形成されている。この投射レンズ設置部４５１２Ａは、平面視略矩形状に形成され、平面視略中央部分には光学装置本体４４のクロスダイクロイックプリズム４４４からの光束射出位置に対応して円形状の図示しない孔が形成されており、光学装置４にて形成されたカラー画像が前記孔を通して投射レンズ３にて拡大投射される。
さらに、この部品収納部４５１２において、底面には、図４に示すように、光学装置本体４４の外形形状に対応した開口部４５１２Ｂが形成されている。また、この開口部４５１２Ｂの周縁部分には、光学装置本体４４を所定位置に位置決めするための２つの位置決め突起４５１２Ｃと、前記光学装置本体を固定するための２つの固定用孔４５１２Ｄとが形成されている（図９参照）。
【００４１】
〔４．電源ユニットの構成〕
電源ユニット５は、図２に示すように、光学装置４のＬ字内側部分に配設され外部から供給された電力を各構成部材に供給するものである。この電源ユニット５は、図２に示すように、電源回路を備えた電源ブロック５１と、ランプ駆動ブロック５２とが積層配置されている。
電源ブロック５１は、図示しない電源ケーブルを通して外部から供給された電力をランプ駆動ブロック５２および制御基板等に供給する。この電源ブロック５１は、具体的な図示は省略するが、入力される交流を所定の電圧に変換するトランスや該トランスからの出力を所定の電圧の直流に変換する変換回路等が片面に実装された回路基板と、この回路基板を覆う筒状部材とを備える。
ランプ駆動ブロック５２は、具体的な図示は省略するが、前述した光源装置４１１に安定した電圧で電力を供給するための変換回路等が片面に実装された回路基板を備え、電源ブロック５１から入力した商用交流電流は、このランプ駆動ブロック５２によって整流、変換されて、直流電流や交流矩形波電流となって光源装置４１１に供給される。また、ランプ駆動ブロック５２は、電源ブロック５１と同様に、前記回路基板を覆う筒状部材を備えている。
【００４２】
〔５．排気ユニットの構成〕
排気ユニット６は、図２に示すように、光学装置４のＬ字内側部分に外装筺体２の側面部２１Ｃ，２２Ｃに沿うように配設され、外装筺体２内部の空気を外部に排出するものである。この排気ユニット６は、図２に示すように、排気ファン６１と、排気ダクト６２とを備える。
排気ファン６１は、図２に示すように、空気の吸気方向と排気方向とが略同一となる軸流ファンで構成され、吸気面が光源装置収納部４５１１の排出孔４５１１Ｂと対向するように配置される。
排気ダクト６２は、図２に示すように、排気ファン６１の吐出面と接続し、排気ファン６１から吐出された空気を外装筺体２の前面に形成された開口部２１Ｅ３（図１）まで導くものである。
【００４３】
〔６．光学装置の詳細な構成〕
以下に、光学装置本体４４、液体圧送部４６、ラジエータブロック４７、偏光変換素子保持体４８、および複数の液体循環部材４９の詳細な構成について説明する。
複数の液体循環部材４９は、内部に冷却液体が対流可能に樹脂チューブ製の管状部材で構成され、複数の連結部４９１（図３または図４）により互いに接続され、冷却液体が循環可能に各部材４４，４６〜４８を接続する。そして、循環する冷却液体により液晶パネル４４１、入射側偏光板４４２、射出側偏光板４４３、および偏光変換素子４１４に生じる熱を冷却する。
本実施形態では、液体循環部材４９は、内径が肉厚の等倍以上でありかつ、硬度が５０度（ＡＳＫＥＲ  Ｃ）以下の樹脂チューブで構成している。この樹脂チューブの材料としては、例えば、ブチルゴムやシリコンゴム等を採用できる。なお、全ての液体循環部材４９を前記樹脂チューブで構成しなくてもよく、少なくとも光学装置本体４４と接続する（光変調素子保持体４４６および偏光板保持体４４７間の接続も含む）液体循環部材４９を前記樹脂チューブで構成すればよい。
また、本実施形態では、冷却液体として、透明性の非揮発性液体であるエチレングリコールを採用する。冷却液体としては、エチレングリコールに限らず、その他の液体を採用してもよい。また、使用する冷却液体の全液量は、２００ml以上であることが好ましい。このように使用する冷却液体の全液量を２００ml以上とすることで、熱交換効率を向上させ、冷却対象の温度を効果的に低減させることができる。
以下では、各部材４４，４６〜４８を、循環する冷却液体の流路に沿って液晶パネル４４１に対する上流側から順に説明する。
【００４４】
〔6-1.液体圧送部の構造〕
液体圧送部４６は、図３または図４に示すように、投射レンズ３の側方に配設され、液体循環部材４９を介して冷却液体を送入し、送入した冷却液体を外部に強制的に送出する。そして、液体圧送部４６は、内部に冷却液体を送入するために液体循環部材４９の一端と連通接続するとともに、外部に冷却液体を送出するために他の液体循環部材４９の一端と連通接続している。
この液体圧送部４６は、具体的な図示は省略するが、例えば、アルミニウム製の中空部材内に羽根車が配置された構成を有し、図示しない制御基板による制御の下、前記羽根車が回転することで、冷却液体を内部に強制的に送入し、送入した冷却液体を液体循環部材４９を介して外部に強制的に送出する。
なお、液体圧送部４６の構成としては、上述した羽根車を有する連続送出型の構成に限らず、ダイヤフラムを利用した間欠送出型等の他の構成を採用してもよい。
【００４５】
そして、液体圧送部４６と連通接続した液体循環部材４９の他端は、図４に示すように、複数の連結部４９１のうち第１連結部４９１１により他の２つの液体循環部材４９の一端と接続する。このため、液体圧送部４６から送出された冷却液体は、２つの液体循環部材４９および第１連結部４９１１により、光学装置本体４４側および偏光変換素子４１４側に分流される。
【００４６】
〔6-2.光学装置本体の構造〕
図６ないし図８は、光学装置本体４４の概略構成を示す図である。具体的に、図６は、光学装置本体４４を上方側から見た斜視図である。図７は、光学装置本体４４を下方側から見た斜視図である。図８は、光学装置本体４４の分解斜視図である。
光学装置本体４４は、３つの液晶パネル４４１、３つの入射側偏光板４４２、３つの射出側偏光板４４３、およびクロスダイクロイックプリズム４４４の他、図６ないし図８に示すように、プリズム固定板４４５と、発熱部材接続部としての３つの光変調素子保持体４４６と、発熱部材接続部としての３つの偏光板保持体４４７と、支持部材４４８と、ピン状部材４４９とを備え、これら各部材が一体化されたものである。
【００４７】
〔6-2-1.プリズム固定板の構造〕
プリズム固定板４４５は、略直方体状を有し、上面にてクロスダイクロイックプリズム４４４と接続し、光学装置本体４４全体を支持する。
このプリズム固定板４４５は、クロスダイクロイックプリズム４４４の外形形状よりも若干大きい外形形状を有する。このため、クロスダイクロイックプリズム４４４とプリズム固定板４４５とを接続した場合には、クロスダイクロイックプリズム４４４の側面よりもプリズム固定板４４５の側面の方が外側に突出することとなる。
また、具体的な図示は省略するが、プリズム固定板４４５の上面の略中央部分には、球状の膨出部が形成されている。そして、前記膨出部にクロスダイクロイックプリズム４４４の下面を当接させることで、プリズム固定板４４５に対するクロスダイクロイックプリズム４４４のあおり方向の位置調整が可能となる。
このプリズム固定板４４５において、底面の四隅部分には、図６ないし図８に示すように、該底面に沿って延出する腕部４４５１がそれぞれ形成されている。また、これら腕部４４５１の先端部分には、孔４４５２がそれぞれ形成されている。そして、４つの孔４４５２のうち、対角位置にある２つの孔４４５２が光学部品用筐体４５に対して光学装置本体４４を位置決めするための位置決め用孔４４５２Ａであり、他の対角位置にある２つの孔４４５２が光学部品用筐体４５に対して光学装置本体４４を固定するための固定用孔４４５２Ｂである。
【００４８】
図９は、光学部品用筐体４５に対する光学装置本体４４の取付構造を示す図である。
そして、光学部品用筐体４５に対して光学装置本体４４を取り付ける際には、以下に示すように実施する。
すなわち、図９に示すように、光学部品用筐体４５の下方側から該光学部品用筐体４５に向けて光学装置本体４４を移動し、光学部品用筐体４５の底面に形成された開口部４５１２Ｂを介して光学装置本体４４を内部に挿通する。この際、光学部品用筐体４５における開口部４５１２Ｂ周縁に形成された２つの位置決め突起４５１２Ｃにプリズム固定板４４５の２つの位置決め用孔４４５２Ａをそれぞれ嵌合させることで、光学部品用筐体４５に対する所定位置に光学装置本体４４が位置決めされる。この状態で、光学部品用筐体４５における開口部４５１２Ｂ周縁に形成された２つの固定用孔４５１２Ｄ、およびプリズム固定板４４５の２つの固定用孔４４５２Ｂに固定ねじ４４５３をそれぞれ螺合することで、光学部品用筐体４５に対して光学装置本体４４が固定される。
【００４９】
〔6-2-2.光変調素子保持体の構造〕
図１０および図１１は、光変調素子保持体４４６の概略構成を示す斜視図である。具体的に、図１０は、光変調素子保持体４４６を光束入射側から見た斜視図である。図１１は、光変調素子保持体４４６を光束射出側から見た斜視図である。
図１２は、液晶パネル４４１および入射側偏光板４４２が支持された状態で光変調素子保持体４４６を上下方向略中心位置を通る水平方向の平面で切断した断面図である。
３つの光変調素子保持体４４６は、３つの液晶パネル４４１（発熱部材）および３つの入射側偏光板４４２（発熱部材）をそれぞれ保持するとともに、内部に冷却液体が流入および流出し、該冷却液体により３つの液晶パネル４４１および３つの入射側偏光板４４２をそれぞれ冷却する。なお、各光変調素子保持体４４６は、同様の構成であり、以下では１つの光変調素子保持体４４６のみを説明する。この光変調素子保持体４４６は、図１０ないし図１２に示すように、液体流通管４４６１と、光変調素子支持枠４４６２と、熱伝導性部材としての熱伝導性シート４４６３（図１２）とを備える。
【００５０】
図１３および図１４は、液体流通管４４６１の概略構成を示す図である。具体的に、図１３は、液体流通管４４６１の斜視図である。図１４は、液体流通管４４６１を構成する液体流通部４４６１Ａを示す斜視図である。
液体流通管４４６１は、液晶パネル４４１の画像形成領域（光透過領域）を囲む環形状を有し、内部に冷却液体を流通させるものである。より具体的に、液体流通管４４６１は、図１０ないし図１３に示すように、液晶パネル４４１の画像形成領域を囲むように平面視矩形枠状に形成され、冷却液体を流入出させる各端部が下方側に平行して延出するように形成されている。
この液体流通管４４６１は、図１４に示すように、前記矩形枠状の平面に沿って分割形成された一対の液体流通部４４６１Ａ（図１４では１つの液体流通部４４６１Ａのみを図示している）で構成され、各液体流通部４４６１Ａを一体化することで形成される。
【００５１】
光変調素子支持枠４４６２は、図１０ないし図１２に示すように、液晶パネル４４１の画像形成領域に応じた矩形状の開口部４４６２Ａを有し、光束入射側および光束射出側にて入射側偏光板４４２および液晶パネル４４１の各周縁部を熱伝達可能にそれぞれ支持する平面視矩形状の枠体である。この光変調素子支持枠４４６２は、図１２に示すように、液体流通管４４６１を覆うように液体流通管４４６１と一体化されたものであり、液体流通管４４６１と熱伝達可能に構成されている。
この光変調素子支持枠４４６２において、光束入射側端面には、図１０に示すように、開口部４４６２Ａ周縁部分に平面視矩形状の凹部４４６２Ｂが形成されている。この凹部４４６２Ｂは、図１２に示すように、入射側偏光板４４２が嵌合固定される部分である。より具体的には、凹部４４６２Ｂに入射側偏光板４４２を構成する透光性基板が嵌合固定される。そして、凹部４４６２Ｂに入射側偏光板４４２が嵌合固定された状態では、光変調素子支持枠４４６２と入射側偏光板４４２とが熱伝達可能に接続する。
また、この凹部４４６２Ｂの上下側の左右方向略中央部分には、図１０に示すように、凹部４４６２Ｂよりも深さ寸法の大きい連通部としての凹部４４６２Ｃが、凹部４４６２Ｂ内外に亘り、すなわち、光変調素子支持枠４４６２における枠内外に亘って形成されている。これら一対の凹部４４６２Ｃは、凹部４４６２Ｂに入射側偏光板４４２が嵌合固定された状態で、開口部４４６２Ａと光変調素子支持枠４４６２外部とを連通する。
【００５２】
さらに、この凹部４４６２Ｂの底部分には、図１０に示すように、複数の接着剤溜り用凹部４４６２Ｂ１が形成されている。このように複数の接着剤溜り用凹部４４６２Ｂ１を形成することで、凹部４４６２Ｂに接着剤を塗布した状態で入射側偏光板４４２を嵌合固定した場合には、凹部４４６２Ｂと入射側偏光板４４２との間に介在する接着剤が接着剤溜り用凹部４４６２Ｂ１に溜り、開口部４４６２Ａ側に不要に流出することがない。
また、開口部４４６２Ａは、図１０に示すように、光束入射側に向うにしたがって次第に開口面積が大きくなるように形成されているので、接着剤が開口部４４６２Ａ側に流出した場合であっても、流出した接着剤が液晶パネル４４１の画像形成領域と平面的に干渉しないように構成されている。
【００５３】
また、この光変調素子支持枠４４６２において、光束射出側端面には、図１１に示すように、開口部４４６２Ａ周縁部分に平面視矩形状の凹部４４６２Ｃ１が形成されている。
この凹部４４６２Ｃ１は、図１２に示すように、光変調素子支持枠４４６２にて液晶パネル４４１が支持された状態で、液晶パネル４４１を構成する対向基板４４１Ｄおよび防塵ガラス４４１Ｆ２が嵌合固定される部分である。そして、凹部４４６２Ｃ１に対向基板４４１Ｄおよび防塵ガラス４４１Ｆ２が嵌合固定された状態では、光変調素子支持枠４４６２と防塵ガラス４４１Ｆ２とが熱伝達可能に接続する。
この凹部４４６２Ｃ１において、側壁部分には、図１１に示すように、複数の係止突起４４６２Ｃ２が形成され、これら係止突起４４６２Ｃ２に対向基板４４１Ｄおよび防塵ガラス４４１Ｆ２の外周面が当接し、液晶パネル４４１が位置決めされて凹部４４６２Ｃ１に嵌合固定される。
また、この凹部４４６２Ｃ１において、四隅角部分は、図１１に示すように、平面視略円弧形状となるように形成されている。そして、凹部４４６２Ｃ１に接着剤を塗布した状態で液晶パネル４４１を嵌合固定した場合には、凹部４４６２Ｃ１と液晶パネル４４１との間に介在する接着剤が係止突起４４６２Ｃ２により形成される液晶パネル４４１の外周面と凹部４４６２Ｃ１の側壁との隙間や、凹部４４６２Ｃ１の四隅角部分に溜り、液晶パネル４４１側に不要に流出することがない。また、四隅角部分は、平面視略円弧形状となるように形成されているので、液晶パネル４４１の固定時や、外部より衝撃が加わった時の液晶パネル４４１の四隅角部分の破損を防止することができる。
【００５４】
さらに、この光変調素子支持枠４４６２において、光束射出側端面には、図１１に示すように、凹部４４６２Ｃ１周縁部分に凹部４４６２Ｃ１よりも深さ寸法の小さい凹部４４６２Ｄが形成されている。すなわち、光束射出側端面は、図１２に示すように、凹部４４６２Ｃ１，４４６２Ｄにより、液晶パネル４４１における外周面の段付形状に対応した形状となっている。そして、光変調素子支持枠４４６２にて液晶パネル４４１が支持された状態では、図１２に示すように、凹部４４６２Ｄに液晶パネル４４１を構成する駆動基板４４１Ｃおよび防塵ガラス４４１Ｆ１が固定される。
【００５５】
さらにまた、この光変調素子支持枠４４６２において、上方側端部角隅部分および下方側端部角隅部分には、図１０または図１１に示すように、支持部材４４８に光変調素子保持体４４６を取り付けるための４つの取付部４４６２Ｅが形成されている。また、各取付部４４６２Ｅには、図１０または図１１に示すように、光束入射側および光束射出側を貫通し、ピン状部材４４９を挿通可能とする挿通孔４４６２Ｅ１がそれぞれ形成されている。
また、下方側端部角隅部分に形成される２つの取付部４４６２Ｅは、図１０または図１１に示すように、液体流通管４４６１における下方側に延出する各端部側の基端部分と接続し、各端部を支持する部材としての機能も有する。
【００５６】
熱伝導性シート４４６３は、熱伝導性材料で形成され、折り曲げ可能なシート状部材であり、液晶パネル４４１の画像形成領域に対応して開口部４４６３Ａ（図８または図１２）を有する矩形枠形状を有する。そして、この熱伝導性シート４４６３は、図１２に示すように、光変調素子支持枠４４６２の光束射出側端面、および、防塵ガラス４４１Ｆ１の光束射出側端面を跨ぐように貼り付けられる。この状態では、熱伝導性シート４４６３を介して、光変調素子支持枠４４６２と防塵ガラス４４１Ｆ１とが熱伝達可能に接続する。
この熱伝導性シート４４６３としては、熱伝導性材料で形成され、折り曲げ可能なシート状部材であればよく、例えば、グラファイトシートを採用できる。
【００５７】
以上説明した液体流通管４４６１および光変調素子支持枠４４６２は、以下に示すように製造される。
先ず、熱伝導性を有する第１の樹脂組成物を所定の温度で加熱して溶融状態とし、図示しない第１の金型を所定の温度に加熱しつつ、前記第１の金型内に溶融状態の前記第１の樹脂組成物を射出することで上述した一対の液体流通部４４６１Ａをそれぞれ形成する。すなわち、一対の液体流通部４４６１Ａを射出成型により形成する。
この後、図示しない第２の金型内に一対の液体流通部４４６１Ａを組み合わせた状態（液体流通管４４６１となる状態）で収納する。この状態で、熱伝導性を有する第２の樹脂組成物を所定の温度で加熱して溶融状態とし、図示しない第２の金型を所定の温度に加熱しつつ、前記第２の金型内に一対の液体流通部４４６１Ａの外側から溶融状態の前記第２の樹脂組成物を射出する。この際、前記第２の金型を所定の温度に加熱することで、一対の液体流通部４４６１Ａの表面が溶融状態となり、一対の液体流通部４４６１Ａが一体化しかつ、一対の液体流通部４４６１Ａの表面に干渉するように一対の液体流通部４４６１Ａと光変調素子支持枠４４６２とが一体的に形成される。
本実施形態では、前記第１の樹脂組成物および前記第２の樹脂組成物は、同一材料を採用する。すなわち、液体流通管４４６１および光変調素子支持枠４４６２は、所謂、二重成形により形成されている。
なお、前記第１の樹脂組成物および前記第２の樹脂組成物は、同一材料でなく異なる材料を用いても構わない。すなわち、このように前記第１の樹脂組成物および前記第２の樹脂組成物を異なる材料で構成した場合には、液体流通管４４６１および光変調素子支持枠４４６２は、所謂、二色成形により形成される。
前記第１の樹脂組成物および前記第２の樹脂組成物としては、例えば、ＰＰＳ(Poly Phenylene Sulfide)、ＬＣＰ(Liquid Crystal Polymer)、ＰＣ(Poly Carbonate)、ＰＰ(Poly Propylene）等のベース材料にフィラー材料としてシリカ、アルミナ、窒化アルミニウム、カーボン、酸化アルミニウム等のいずれか、若しくは複合させたものを混合させた樹脂等を採用できる。
【００５８】
そして、第１連結部４９１１に接続した光学装置本体４４側の液体循環部材４９の他端は、図４に示すように、複数の連結部４９１のうち第２連結部４９１２により他の３つの液体循環部材４９の一端と接続する。このため、液体循環部材４９および第１連結部４９１１により光学装置本体４４側に分流された冷却液体は、３つの液体循環部材４９および第２連結部４９１２により、３つの光変調素子保持体４４６毎に分流される。
そしてまた、第２連結部４９１２に接続した３つの液体循環部材４９の各他端は、図４に示すように、３つの光変調素子保持体４４６を構成する各液体流通管４４６１における下方側に延出する一対の端部のうちの一方の端部とそれぞれ接続する。このため、３つの液体循環部材４９および第２連結部４９１２により分流された冷却液体は、３つの光変調素子保持体４４６を構成する各液体流通管４４６１内部にそれぞれ流入し、他方の端部にそれぞれ接続された液体循環部材４９を介して外部へとそれぞれ流出する。
【００５９】
〔6-2-3.偏光板保持体の構造〕
図１５および図１６は、偏光板保持体４４７の概略構成を示す斜視図である。具体的に、図１５は、偏光板保持体４４７を光束入射側から見た斜視図である。図１６は、偏光板保持体４４７を光束射出側から見た斜視図である。
３つの偏光板保持体４４７は、光束入射側にて３つの射出側偏光板４４３（発熱部材）をそれぞれ保持するとともに、内部に冷却液体が流入および流出し、該冷却液体により３つの射出側偏光板４４３をそれぞれ冷却する。なお、各偏光板保持体４４７は、同様の構成であり、以下では１つの偏光板保持体４４７のみを説明する。この偏光板保持体４４７は、図１５または図１６に示すように、液体流通管４４７１と、偏光板支持枠４４７２とを備える。
なお、液体流通管４４７１は、上述した光変調素子保持体４４６を構成する液体流通管４４６１と略同様のものを採用できるため、詳細な説明は省略する。
【００６０】
偏光板支持枠４４７２は、図１５または図１６に示すように、射出側偏光板４４３の光透過領域に応じた矩形状の開口部４４７２Ａを有し、光束入射側にて射出側偏光板４４３の周縁部を熱伝達可能に支持する平面視矩形状の枠体である。この偏光板支持枠４４７２は、上述した光変調素子支持枠４４６２と同様に、液体流通管４４７１を覆うように液体流通管４４７１と一体化されたものであり、液体流通管４４７１と熱伝達可能に構成されている。
この偏光板支持枠４４７２において、光束入射側端面には、図１５に示すように、開口部４４７２Ａ周縁部分に平面視矩形状の凹部４４７２Ｂが形成されている。この凹部４４７２Ｂは、射出側偏光板４４３が嵌合固定される部分である。より具体的には、凹部４４７２Ｂに射出側偏光板４４３を構成する透光性基板が嵌合固定される。そして、凹部４４７２Ｂに射出側偏光板４４３が嵌合固定された状態では、偏光板支持枠４４７２と射出側偏光板４４３とが熱伝達可能に接続する。
【００６１】
また、この凹部４４７２Ｂの上下側の左右方向略中央部分には、図１５に示すように、凹部４４７２Ｂよりも深さ寸法の大きい凹部４４７２Ｃが、凹部４４７２Ｂ内外に亘り、すなわち、偏光板支持枠４４７２における枠内外に亘って形成されている。これら一対の凹部４４７２Ｃは、凹部４４７２Ｂに射出側偏光板４４３を嵌合固定した状態で、開口部４４７２Ａと偏光板支持枠４４７２外部とを連通する。
さらに、この凹部４４７２Ｂの底部分には、図１５に示すように、複数の接着剤溜り用凹部４４７２Ｂ１が形成されている。このように複数の接着剤溜り用凹部４４７２Ｂ１を形成することで、凹部４４７２Ｂに接着剤を塗布した状態で射出側偏光板４４３を嵌合固定した場合には、凹部４４７２Ｂと射出側偏光板４４３との間に介在する接着剤が接着剤溜り用凹部４４７２Ｂ１に溜り、開口部４４７２Ａ側に不要に流出することがない。
また、開口部４４７２Ａは、図１５に示すように、光束入射側に向うにしたがって次第に開口面積が大きくなるように形成されているので、接着剤が開口部４４７２Ａ側に流出した場合であっても、流出した接着剤が射出側偏光板４４３の光透過領域と平面的に干渉しないように構成されている。
【００６２】
また、この偏光板支持枠４４７２において、光束射出側端面には、図１６に示すように、開口部４４７２Ａ周縁部分に平面視矩形状の凹部４４７２Ｄが形成されている。この凹部４４７２Ｄは、他の光学素子が嵌合固定可能な部分であるが、本実施形態では、該凹部４４７２Ｄには何も固定されない。
また、この凹部４４７２Ｄの四隅位置近傍の略対角位置には、図１６に示すように、上述した凹部４４７２Ｃと同様の機能を有する凹部４４７２Ｅが形成されている。
さらに、この凹部４４７２Ｄの底部分には、図１６に示すように、上述した接着剤溜り用凹部４４７２Ｂ１と同様の機能を有する複数の接着剤溜り用凹部４４７２Ｄ１が形成されている。
【００６３】
さらに、この偏光板支持枠４４７２において、上方側端部の左右方向略中央部分には、図１５または図１６に示すように、上方側に突出し、偏光板支持枠４４７２を支持部材４４８に固定するための固定部４４７２Ｆが形成されている。
そして、この固定部４４７２Ｆの基端側には、図１６に示すように、光束射出側に突出し、支持部材４４８の所定位置に偏光板支持枠４４７２を位置決めするための位置決め突起４４７２Ｆ１が形成されている。
また、この固定部４４７２Ｆの先端側には、図１５または図１６に示すように、光束入射側および光束射出側を貫通し、支持部材４４８に対して偏光板支持枠４４７２を固定するための固定用孔４４７２Ｆ２が形成されている。
【００６４】
さらにまた、この偏光板支持枠４４７２において、下方側端部の左右方向略中央部分には、図１５または図１６に示すように、下方側に突出し、固定部４４７２Ｆ（位置決め突起４４７２Ｆ１および固定用孔４４７２Ｆ２を含む）と同様の固定部４４７２Ｇ（位置決め突起４４７２Ｇ１および固定用孔４４７２Ｇ２を含む）が形成されている。
固定部４４７２Ｇは、図１５または図１６に示すように、液体流通管４４７１における下方側に延出する各端部側の基端部分を相互に接続し、各端部を支持する部材としての機能も有する。
【００６５】
以上説明した液体流通管４４７１および偏光板支持枠４４７２の製造方法は、上述した液体流通管４４６１および光変調素子支持枠４４６２の製造方法と略同様であるため、説明を省略する。
【００６６】
そして、３つの光変調素子保持体４４６を構成する各液体流通管４４６１における他方の端部にそれぞれ接続された各液体循環部材４９の他端は、図４に示すように、３つの偏光板保持体４４７を構成する各液体流通管４４７１における下方側に延出する一対の端部のうちの一方の端部と接続する。このため、３つの光変調素子保持体４４６を構成する各液体流通管４４６１から流出した冷却液体は、３つの偏光板保持体４４７を構成する各液体流通管４４７１内部にそれぞれ流入し、他方の端部にそれぞれ接続された液体循環部材４９を介して外部へとそれぞれ流出する。
【００６７】
〔6-2-4.支持部材の構造〕
支持部材４４８は、図８に示すように、略中央部分に液晶パネル４４１の画像形成領域に対応した矩形状の開口部４４８１を有する平面視矩形枠状の板体から構成され、光変調素子保持体４４６および偏光板保持体４４７を支持する部材である。
この支持部材４４８において、上方側端縁の左右方向略中央部分には、図８に示すように、上方側に突出し、偏光板保持体４４７を支持するための第１支持部４４８２が形成されている。
この第１支持部４４８２の基端部分には、図８に示すように、光束入射側および光束射出側を貫通し、偏光板保持体４４７を位置決めするための位置決め用孔４４８２Ａが形成されている。
また、この第１支持部４４８２の先端部分には、図８に示すように、光束入射側および光束射出側を貫通し、偏光板保持体４４７を固定するための固定用孔４４８２Ｂが形成されている。
【００６８】
また、支持部材４４８の下方側端縁の左右方向略中央部分にも、図８に示すように、上述した第１支持部４４８２（位置決め用孔４４８２Ａおよび固定用孔４４８２Ｂを含む）と同様の第１支持部４４８３（位置決め用孔４４８３Ａおよび固定用孔４４８３Ｂを含む）が形成されている。
そして、偏光板保持体４４７の一対の位置決め突起４４７２Ｆ１，４４７２Ｇ１を支持部材４４８の一対の位置決め用孔４４８２Ａ，４４８３Ａに嵌合させることで、支持部材４４８の所定位置に偏光板保持体４４７が位置決めされる。この状態で、偏光板保持体４４７の一対の固定用孔４４７２Ｆ２，４４７２Ｇ２、および支持部材４４８の一対の固定用孔４４８２Ｂ，４４８３Ｂに一対の固定ねじ４４８４（図８）をそれぞれ螺合することとで、偏光板保持体４４７が支持部材４４８に固定される。
【００６９】
また、この支持部材４４８において、四隅角部分には、図８に示すように、ピン状部材４４９を介して光変調素子保持体４４６を支持する第２支持部４４８５がそれぞれ形成されている。
これら第２支持部４４８５は、図８に示すように、光束入射側に突出し、突出した先端部分が略９０°曲折して入射光束に略直交する平面を有するように形成されている。そして、これら第２支持部４４８５は、前記平面にてピン状部材４４９を介して光変調素子保持体４４６を支持する。
【００７０】
そして、支持部材４４８は、上述したように光変調素子保持体４４６および偏光板保持体４４７を支持した状態で、板体の光束射出側端面をクロスダイクロイックプリズム４４４の光束入射側端面に対応するプリズム固定板４４５の側面に接着固定することで、光変調素子保持体４４６および偏光板保持体４４７がクロスダイクロイックプリズム４４４と一体化される。
【００７１】
〔6-2-5ピン状部材の構造〕
ピン状部材４４９は、図８に示すように、略柱状に形成され、支持部材４４８に対して光変調素子保持体４４６を取り付けるための部材である。
そして、ピン状部材４４９の外面に接着剤を塗布した状態で、該ピン状部材４４９をそれぞれ光変調素子保持体４４６の各挿通孔４４６２Ｅ１に挿通する。そして、ピン状部材４４９の端部を支持部材４４８の第２支持部４４８５の各平面に当接させる。このような状態にすることで、ピン状部材４４９の外周面と挿通孔４４６２Ｅ１の内周面とが接着剤により固定されかつ、ピン状部材４４９の端部と第２支持部４４８５の各平面とが接着剤により固定され、光変調素子保持体４４６と支持部材４４８とが一体化される。
このようなピン状部材４４９としては、例えば、透光性材料（例えば、アクリル樹脂等）にて形成することが好ましい。ピン状部材４４９を透光性材料にて形成することで、例えば、前記接着剤として紫外線硬化型接着剤を用いれば、上述した状態において、支持部材４４８に対して光変調素子保持体４４６を所定の位置に調整した後、ピン状部材４４９に紫外線を照射することで、ピン状部材４４９と挿通孔４４６２Ｅ１との間に介在する紫外線硬化型接着剤、およびピン状部材４４９と第２支持部４４８５の平面との間に介在する紫外線硬化型接着剤を硬化させることができ、支持部材４４８および光変調素子保持体４４６の一体化を簡単に実施できる。
【００７２】
そして、３つの偏光板保持体４４７を構成する各液体流通管４４７１における他方の端部にそれぞれ接続された各液体循環部材４９の各他端は、図４に示すように、複数の連結部４９１のうち第３連結部４９１３により他の１つの液体循環部材４９の一端と接続する。このため、３つの偏光板保持体４４７を構成する各液体流通管４４７１から流出した冷却液体は、液体循環部材４９および第３連結部４９１３により、合流してラジエータブロック４７側へと流出する。
【００７３】
〔6-3.偏光変換素子保持体の構造〕
図１７および図１８は、偏光変換素子保持体４８の概略構成を示す図である。具体的に、図１７は、偏光変換素子４１４が偏光変換素子保持体４８に保持された状態を示す斜視図である。図１８は、偏光変換素子４１４および偏光変換素子保持体４８の分解斜視図である。
偏光変換素子保持体４８は、偏光変換素子４１４（発熱部材）を保持するとともに、内部に冷却液体が流入および流出し、該冷却液体により偏光変換素子４１４を冷却する。この偏光変換素子保持体４８は、図１７または図１８に示すように、液体流通管４８１と、偏光変換素子支持枠４８２とを備える。
【００７４】
液体流通管４８１は、偏光変換素子４１４の光透過領域を囲む環形状を有し、内部に冷却液体を流通させるものである。より具体的に、液体流通管４８１は、偏光変換素子４１４の外周を囲むように平面視コ字状に形成され、図１７または図１８に示すように、冷却液体を流入出させる各端部が水平方向（光束射出側から見て右側）に平行して延出するように形成されている。
なお、液体流通管４８１は、上述した光変調素子保持体４４６を構成する液体流通管４４６１、および偏光板保持体４４７を構成する液体流通管４４７１と略同様に製造できる。
【００７５】
偏光変換素子支持枠４８２は、図１７または図１８に示すように、偏光変換素子４１４を構成する偏光変換素子本体４１４１の外形形状に応じた矩形状の開口部４８２Ａを有し、偏光変換素子４１４を熱伝達可能に支持する平面視矩形状の枠体である。この偏光変換素子支持枠４８２は、図１７または図１８に示すように、液体流通管４８１を覆うように液体流通管４８１と一体化されたものであり、液体流通管４８１と熱伝達可能に構成されている。
この偏光変換素子支持枠４８２において、光束射出側端面は、図１７または図１８に示すように、略平面状となるように形成されている。なお、具体的な図示は省略するが、偏光変換素子支持枠４８２の光束入射側端面も同様に略平面状となるように形成されている。
【００７６】
そして、偏光変換素子支持枠４８２は、開口部４８２Ａに偏光変換素子本体４１４１を嵌合させることで偏光変換素子本体４１４１を熱伝達可能に支持する。
ここで、この偏光変換素子支持枠４８２の厚み寸法は、偏光変換素子本体４１４１の厚み寸法と略同一となるように形成されている。このため、偏光変換素子支持枠４８２が偏光変換素子本体４１４１を支持した状態では、偏光変換素子支持枠４８２の光束入射側端面および光束射出側端面と、偏光変換素子本体４１４１の光束入射側端面および光束射出側端面とがそれぞれ略面一となる。
また、偏光変換素子支持枠４８２は、光束入射側端面にて偏光変換素子４１４を構成する遮光部材４１４２を支持する。偏光変換素子支持枠４８２の開口部４８２Ａに偏光変換素子本体４１４１が嵌合された状態で、偏光変換素子支持枠４８２の光束入射側端面に遮光部材４１４２を貼り付けた場合には、偏光変換素子支持枠４８２の光束入射側端面、および偏光変換素子本体４１４１の光束入射側端面を跨るように遮光部材４１４２が設置される。すなわち、偏光変換素子本体４１４１の外周面が偏光変換素子支持枠４８２と熱伝達可能に接続するのみならず、遮光部材４１４２を介しても偏光変換素子本体４１４１と偏光変換素子支持枠４８２とが熱伝達可能に接続する。
そして、以上のように偏光変換素子４１４を保持した状態の偏光変換素子保持体４８は、図３に示すように、光学部品用筐体４５を構成する部品収納部４５１２の図示しない溝部に上方からスライド式に嵌め込まれて設置される。
【００７７】
以上説明した液体流通管４８１および偏光変換素子支持枠４８２の製造方法は、上述した液体流通管４４６１および光変調素子支持枠４４６２の製造方法や、上述した液体流通管４４７１および偏光板支持枠４４７２の製造方法と略同様であるため、説明を省略する。
【００７８】
そして、第１連結部４９１１に接続した偏光変換素子４１４側の液体循環部材４９の他端は、図４に示すように、偏光変換素子保持体４８を構成する液体流通管４８１における水平方向に延出した一対の端部のうちの一方の端部と接続する。このため、液体循環部材４９および第１連結部４９１１により偏光変換素子４１４側に分流された冷却液体は、偏光変換素子保持体４８を構成する液体流通管４８１内部に流入し、他方の端部に接続された液体循環部材４９を介して外部へとそれぞれ流出する。
【００７９】
〔6-4.ラジエータブロックの構造〕
図１９ないし図２１は、ラジエータブロック４７の概略構成を示す図である。具体的に、図１９は、ラジエータブロック４７を前方側から見た斜視図である。図２０は、ラジエータブロック４７を後方側から見た斜視図である。図２１は、図２０のラジエータブロック４７の分解斜視図である。
なお、図１９ないし図２０において、説明を簡略化するために、プロジェクタ１の水平方向（側面部２１Ｂ，２１Ｃ，２２Ｂ，２２Ｃと直交する方向）をＸ軸、このＸ軸に直交する２軸をそれぞれＹ軸（プロジェクタ１の上下方向）、Ｚ軸（プロジェクタ１の前後方向）とする。
ラジエータブロック４７は、外装筺体２における右前方側の膨出部分に設置され、光学装置本体４４および偏光変換素子４１４にて温められた冷却液体の熱を放熱する。このラジエータブロック４７は、図１９ないし図２１に示すように、吸気側ダクト４７１と、放熱装置本体としてのラジエータ本体４７２と、冷却ファン４７３と、排気側ダクト４７４と、固定部材４７５とを備え、各部材４７１〜４７５が一体化したユニットとして構成されている。
【００８０】
吸気側ダクト４７１は、プロジェクタ１外部の空気をラジエータブロック４７内部に導入する平面視（Ｘ軸方向から見た場合）矩形状の略筒状部材で構成され、該筒状軸がＸ軸（図１９ないし図２１）に略平行するように配置される。そして、吸気側ダクト４７１の一方の端部側（＋Ｘ軸方向側）が空気を導入する導入口４７１１（図１９、図２１）となり、他方の端部側（−Ｘ軸方向側）が空気を排出する排出口４７１２（図２１）となる。また、導入口４７１１には、図１９または図２１に示すように、Ｚ軸方向（ＸＺ平面）に沿って延出する複数の羽根板４７１１Ａが形成されている。そして、ラジエータブロック４７を外装筺体２内部に設置した状態では、図１に示すように、吸気側ダクト４７１の導入口４７１１が外装筺体２の吸気口２８に接続する。
また、この吸気側ダクト４７１は、図１９ないし図２１に示すように、ラジエータ本体４７２の平面形状（Ｘ軸方向から見た平面形状）よりも若干大きい平面形状（Ｘ軸方向から見た平面形状）を有している。すなわち、排出口４７１２は、ラジエータ本体４７２の＋Ｘ軸方向側（空気の流入側）を嵌め込み可能に構成されている。
【００８１】
この吸気側ダクト４７１において、排出口４７１２の周縁部におけるＺ軸方向両端部の＋Ｙ軸方向側には、図１９または図２１に示すように、−Ｘ軸方向に突出する突出部４７１３がそれぞれ形成されている。これら各突出部４７１３は、排出口４７１２へのラジエータ本体４７２の嵌め込みを安定した状態とする部分である。
また、この吸気側ダクト４７１において、−Ｚ軸方向側の突出部４７１３の先端部分、および排出口４７１２の周縁部における−Ｙ軸方向側の角部分には、図１９ないし図２１に示すように、固定部材４７５と接続するための固定部４７１４がそれぞれ形成されている。
さらに、この吸気側ダクト４７１において、排出口４７１２の周縁部における＋Ｙ軸方向端部の＋Ｚ軸方向側には、図２０または図２１に示すように、−Ｘ軸方向に突出するフック４７１５が形成されている。
【００８２】
図２２は、ラジエータ本体４７２を示す断面図である。具体的に、図２２は、図１９ないし図２１において、ラジエータ本体４７２をＹＺ平面に平行な平面で切断した断面図である。なお、図２２でも図１９ないし図２１と同様に、プロジェクタ１の水平方向（側面部２１Ｂ，２１Ｃ，２２Ｂ，２２Ｃと直交する方向）をＸ軸、このＸ軸に直交する２軸をそれぞれＹ軸（プロジェクタ１の上下方向）、Ｚ軸（プロジェクタ１の前後方向）とする。
ラジエータ本体４７２は、内部に冷却液体を流通させて光学装置本体４４および偏光変換素子４１４にて温められた冷却液体の熱を放熱する部分である。
このラジエータ本体４７２は、図２１または図２２に示すように、一対の液体蓄積部４７２１Ａ，４７２１Ｂと、接続部４７２２と、複数の放熱フィン４７２３とを備える。
【００８３】
一対の液体蓄積部４７２１Ａ，４７２１Ｂは、図２１または図２２に示すように、金属等の熱伝導性材料から構成され、略直方体状の中空部材であり、内部に冷却液体を一時的に蓄積する部分である。そして、これら一対の液体蓄積部４７２１Ａ，４７２１Ｂは、図２１または図２２に示すように、互いに対向するように配置される。
これら一対の液体蓄積部４７２１Ａ，４７２１Ｂにおいて、＋Ｙ軸方向端面には、図２１または図２２に示すように、内部に冷却液体を流通可能とする流通部としての流通管４７２１Ｃがそれぞれ形成されている。これら流通管４７２１Ｃは、図２２に示すように、その両端部が液体蓄積部４７２１Ａ，４７２１Ｂ内外に突出するように形成されている。
より具体的に、液体蓄積部４７２１Ａ，４７２１Ｂ内部に突出した流通管４７２１Ｃの一方の端部は、図２２に示すように、液体蓄積部４７２１Ａ，４７２１ＢにおけるＹ軸方向略中央部分に位置するように突出している。
また、一対の液体蓄積部４７２１Ａ，４７２１Ｂのうち、＋Ｚ軸方向側の液体蓄積部４７２１Ｂの＋Ｙ軸方向端面には、図２１に示すように、内部の空気を外部に排出するための空気排出管４７２１Ｄが形成されている。
【００８４】
ここで、第３連結部４９１３と接続した液体循環部材４９の他端、および偏光変換素子保持体４８を構成する液体流通管４８１における水平方向に延出した一対の端部のうちの他方の端部に接続された液体循環部材４９の他端は、図３または図４に示すように、複数の連結部４９１のうち第４連結部４９１４により他の液体循環部材４９の一端と接続する。このため、光学装置本体４４からの冷却液体、および、偏光変換素子保持体４８からの冷却液体は、合流してラジエータ本体４７２側へと流出する。
そして、第４連結部４９１４と接続した液体循環部材４９の他端は、図３に示すように、液体蓄積部４７２１Ａにおける流通管４７２１Ｃの外部に突出した端部と接続する。このため、光学装置本体４４からの冷却液体、および、偏光変換素子保持体４８からの冷却液体は、合流した後、ラジエータ本体４７２の液体蓄積部４７２１Ａ内に一時的に蓄積される。
【００８５】
また、液体蓄積部４７２１Ｂにおける流通管４７２１Ｃの外部に突出した端部は、図３に示すように、液体圧送部４６内部に冷却液体を送入するための液体圧送部４６と連通接続した液体循環部材４９の他端と連通接続する。このため、液体蓄積部４７２１Ｂ内に蓄積された冷却液体は、液体圧送部４６に強制的に送出される。
【００８６】
接続部４７２２は、金属等の熱伝導性材料から構成され、一対の液体蓄積部４７２１Ａ，４７２１Ｂを互いに接続して一体化するとともに、内部を冷却液体が流通可能とし液体蓄積部４７２１Ａ，４７２１Ｂと連通する部分である。
より具体的に、この接続部４７２２は、図２２に示すように、ＸＺ平面に沿って延出し、液体蓄積部４７２１Ａ，４７２１Ｂ間に架設された複数（本実施形態では、９つ）の板体４７２２Ａで構成される。これら板体４７２２Ａのうち、Ｙ軸方向内側に配設される板体４７２２Ａ１は、図２２に示すように、液体蓄積部４７２１Ａ，４７２１Ｂと連通し、ＸＺ平面に沿って冷却液体を流通可能とする流路が内部に形成されている。
すなわち、液体蓄積部４７２１Ａに流入した冷却液体は、各板体４７２２Ａ１内部の流路を辿って、液体蓄積部４７２１Ｂに流入することとなる。
【００８７】
複数の放熱フィン４７２３は、金属等の熱伝導性材料から構成され、図２２に示すように、一対の液体蓄積部４７２１Ａ，４７２１Ｂと接続部４７２２とで囲まれＸ軸方向に沿って延びる複数の空間Ａｒに配設され、接続部４７２２と熱伝達可能に接続する。すなわち、複数の放熱フィン４７２３は、接続部４７２２の前記流路を流通する冷却液体〜接続部４７２２〜複数の放熱フィン４７２３の熱伝達経路を辿って伝達された熱を外気へと放熱する部分である。
また、複数の空間Ａｒには、吸気側ダクト４７１を介してラジエータブロック４７内部に導入された空気が流通する。そして、複数の放熱フィン４７２３は、複数の空間Ａｒに配設されているため、流通する空気により効果的に冷却される。
なお、図２２では、複数の放熱フィン４７２３は、接続部４７２２を構成する各板体４７２２Ａ間に架設されるように構成されているが、放熱フィン４７２３の構成は、これに限らない。放熱フィン４７２３としては、例えば、平板状の板体を屈曲させて蛇行形状とし、各屈曲部分を各板体４７２２Ａに熱伝達可能に接続する構成としても構わない。
【００８８】
固定部材４７５は、各部材４７１〜４７４を一体化するとともに、ラジエータブロック４７を外装筺体２に固定する部分である。この固定部材４７５は、吸気側ダクト４７１と同様に、平面視（Ｘ軸方向から見た場合）矩形状の略筒状部材で構成され、該筒状軸がＸ軸に略平行するように配置される。
また、この固定部材４７５は、図１９ないし図２１に示すように、吸気側ダクト４７１と同様に、ラジエータ本体４７２の平面形状（Ｘ軸方向から見た平面形状）よりも若干大きい平面形状（Ｘ軸方向から見た平面形状）を有している。すなわち、固定部材４７５における筒状の一方の端部（＋Ｘ軸方向端部）の開口は、ラジエータ本体４７２の−Ｘ軸方向側（空気の流出側）を嵌め込み可能に構成されている。したがって、ラジエータ本体４７２は、吸気側ダクト４７１および固定部材４７５により挟持固定される構成となっている。
【００８９】
この固定部材４７５において、前記一方の端部の開口周縁部分におけるＺ軸方向両端部の−Ｙ軸方向側には、図１９または図２１に示すように、＋Ｘ軸方向に突出する突出部４７５１がそれぞれ形成されている。これら各突出部４７５１は、前記一方の端部の開口へのラジエータ本体４７２の嵌め込みを安定した状態とする部分である。
また、各突出部４７５１の＋Ｙ軸方向端縁には、図１９ないし図２１に示すように、ＸＺ平面に沿って延出し、固定部材４７５を外装筺体２に取り付けるための取付部４７５２が形成されている。
【００９０】
また、この固定部材４７５において、吸気側ダクト４７１の各固定部４７１４に対応する部分には、図１９ないし図２１に示すように、吸気側ダクト４７１と接続するための固定部４７５３がそれぞれ形成されている。
さらに、この固定部材４７５において、吸気側ダクト４７１のフック４７１５に対応する部分には、図２０または図２１に示すように、フック４７１５と係合するフック係合部４７５４が形成されている。
すなわち、吸気側ダクト４７１のフック４７１５を固定部材４７５のフック係合部４７５４に係合させ、各固定部４７１４，４７５３に固定ねじ４７６（図２１）を螺合することで、固定部材４７５に対して吸気側ダクト４７１およびラジエータ本体４７２が固定される。
【００９１】
さらにまた、この固定部材４７５において、筒状の他方の端部（−Ｘ軸方向端部）の開口４７５５は、図２１に示すように、冷却ファン４７３の後述する吸入口に対応した略円形状を有するように形成されている。
また、開口部４７５５の周縁部分には、図２１に示すように、−Ｘ軸方向に突出し、冷却ファン４７３を固定するための２つの固定部４７５６が形成されている。
さらに、この固定部材４７５において、−Ｘ軸方向端面の＋Ｚ軸方向側には、図２１に示すように、排気側ダクト４７４を固定するための２つの固定部４７５７が形成されている。
【００９２】
冷却ファン４７３は、ファンの回転により吸入した空気を回転接線方向に吐出する遠心力ファン（シロッコファン）で構成されている。
この冷却ファン４７３において、その外周部分には、図１９ないし図２１に示すように、固定部材４７５の２つの固定部４７５６に対応して２つの固定部４７３１が形成されている。そして、図２１に示すように、固定部４７３１を介して固定ねじ４７７を固定部４７５６に螺合することで、冷却ファン４７３の吸入口４７３２が固定部材４７５の開口部４７５５に対向し、吐出口４７３３が＋Ｚ軸方向に向いた状態で冷却ファン４７３が固定部材４７５に固定される。この状態では、吸入口４７３２周縁部分と開口部４７５５周縁部分とが当接し、開口部４７５５を介して流通する空気が冷却ファン４７３の吸入口４７３２にのみ取り込まれ、固定部材４７５および冷却ファン４７３の隙間から外部に漏れることがない。
【００９３】
排気側ダクト４７４は、冷却ファン４７３の吐出口４７３３から吐出された空気をプロジェクタ１外部に排出する略筒状部材で構成され、該筒状軸がＺ軸に略平行するように配置される。また、この排気側ダクト４７４は、図２１に示すように、Ｙ軸方向から見た場合、平面視Ｌ字形状を有するように形成され、Ｌ字先端部分がそれぞれ＋Ｘ軸方向および−Ｚ軸方向に向くように配置される。そして、排気側ダクト４７４における−Ｚ軸方向に向くＬ字先端側が空気を導入する導入口４７４１（図２１）となり、他方の端部側（＋Ｚ軸方向端面）が空気を排出する排出口４７４２（図１９）となる。そして、ラジエータブロック４７を外装筺体２内部に設置した状態では、図１に示すように、排気側ダクト４７４の排出口４７４２が外装筺体２の排気口２１Ｅ２と接続する。
【００９４】
この排気側ダクト４７４において、排出口４７４２には、図１９に示すように、Ｙ軸方向に沿って延出する複数の羽根板４７４２Ａが形成されている。これら複数の羽根板４７４２Ａは、図１９に示すように、その板面が投射レンズ３の投射方向に対して傾斜し、排気流が投射レンズ３から離間するように形成されている。
また、この排気側ダクト４７４において、Ｙ軸方向両端面には、図１９ないし図２１に示すように、固定部材４７５の２つの固定部４７５７に対応して２つの固定部４７４３が形成されている。
さらに、この排気側ダクト４７４において、Ｌ字内側部分の端面には、図２１に示すように、筒状内部と連通する開口部４７４４が形成されている。
【００９５】
以上のような構成により、固定部材４７５に対して排気側ダクト４７４を以下に示すように簡単に設置できる。
すなわち、固定部材４７５に冷却ファン４７３を固定した状態で、固定部材４７５に対して−Ｘ軸方向側から排気側ダクト４７４を移動させ、排気側ダクト４７４の開口部４７４４を介して冷却ファン４７３の吐出口４７３３外周部分に導入口４７４１を被せるように設置する。そして、固定部材４７５の固定部４７５７および排気側ダクト４７４の固定部４７４３に固定ねじ４７８（図２１）を螺合することで、固定部材４７５に対して排気側ダクト４７４が固定される。この状態では、排気側ダクト４７４のＬ字内側部分が固定部材４７５の−Ｘ軸方向端面および＋Ｚ軸方向端面に当接し、排気側ダクト４７４の開口部４７４４が閉塞される。このため、冷却ファン４７３の吐出口４７３３から吐出された空気は、導入口４７４１を介して排気側ダクト４７４内部に流通し、排気側ダクト４７４、固定部材４７５、および冷却ファン４７３の各部材間から外部に漏れることなく、排出口４７４２を介して排出される。
【００９６】
そして、以上のような構成により、各部材４７１〜４７５が接続することで、ラジエータブロック４７内部には、吸気側ダクト４７１（導入口４７１１）〜ラジエータ本体４７２（複数の空間Ａｒ）〜固定部材４７５（開口部４７５５）〜冷却ファン４７３〜排気側ダクト４７４（排出口４７４２）を辿って空気が流通する空気流通路が形成される。そして、前記空気流通路は、導入口４７１１および排出口４７４２を介してのみラジエータブロック４７外部と連通する。
すなわち、吸気口２８からラジエータブロック４７の前記空気流通路に取り込まれた空気は、ラジエータブロック４７を除く外装筺体２内部の他の空間に漏れず、排気口２１Ｅ２を介してプロジェクタ１外部へと排出される。
【００９７】
〔７．冷却液体の流路〕
図２３は、冷却液体の流路を模式的に示す図である。
以下に、上述した光学装置４における冷却液体の流路をより明確に説明する。
液体圧送部４６により圧送された冷却液体は、図２３に示すように、第１連結部４９１１を介して、光学装置本体４４側（３つの光変調素子保持体４４６および３つの偏光板保持体４４７側）と偏光変換素子４１４側（偏光変換素子保持体４８側）の２つに分流される。すなわち、光学装置本体４４（液晶パネル４４１、入射側偏光板４４２、および射出側偏光板４４３）側の冷却流路と、偏光変換素子４１４側の冷却流路とが並列となるように形成されている。
【００９８】
光学装置本体４４側に流通した冷却液体は、図２３に示すように、第２連結部４９１２を介して、Ｒ，Ｇ，Ｂの色光毎の３つの流路に分流され、３つの光変調素子保持体４４６を構成する各液体流通管４４６１内にそれぞれ流入する。この際、液晶パネル４４１および入射側偏光板４４２の熱が光変調素子支持枠４４６２、熱伝導性シート４４６３、および液体流通管４４６１を介して液体流通管４４６１内を流通する冷却液体に伝達され、液晶パネル４４１および入射側偏光板４４２が冷却される。
また、各液体流通管４４６１を介して外部に流通した冷却液体は、図２３に示すように、３つの偏光板保持体４４７を構成する各液体流通管４４７１内にそれぞれ流入する。この際、射出側偏光板４４３の熱が偏光板支持枠４４７２および液体流通管４４７１を介して液体流通管４４７１内を流通する冷却液体に伝達され、射出側偏光板４４３が冷却される。
以上のように、Ｒ，Ｇ，Ｂの色光毎に、光変調素子保持体４４６の液体流通管４４６１、および偏光板保持体４４７の液体流通管４４７１は、各冷却流路が直列に接続されている。また、直列に接続された光変調素子保持体４４６および偏光板保持体４４７の３組は、各冷却流路が並列に接続されている。
各偏光板保持体４４７の液体流通管４４７１を介して外部に流通した冷却液体は、図２３に示すように、第３連結部４９１３を介して合流し、第４連結部４９１４へと流通する。
【００９９】
一方、偏光変換素子４１４側に流通した冷却液体は、図２３に示すように、偏光変換素子保持体４８の液体流通管４８１内に流入する。この際、偏光変換素子４１４の熱が偏光変換素子支持枠４８２および液体流通管４８１を介して液体流通管４８１内を流通する冷却液体に伝達され、偏光変換素子４１４が冷却される。そして、液体流通管４８１を介して外部に流通した冷却液体は、第４連結部４９１４へと流通する。
【０１００】
光学装置本体４４側および偏光変換素子４１４側から第４連結部４９１４へと流通する冷却液体は、図２３に示すように、第４連結部４９１４を介して合流し、ラジエータブロック４７へと流通する。この際、液晶パネル４４１、入射側偏光板４４２、射出側偏光板４４３、および偏光変換素子４１４により温められた冷却液体は、ラジエータブロック４７を通過する際に、熱を放熱して冷却される。そして、ラジエータブロック４７を介して冷却された冷却液体は、液体圧送部４６により送入され、再度、上記同様に、流通する。
【０１０１】
上述した本実施形態においては、液晶パネル４４１、入射側偏光板４４２、射出側偏光板４４３、および偏光変換素子４１４の発熱部材から冷却液体を介してラジエータ本体４７２に伝達された熱を、冷却ファン４７３によるラジエータ本体４７２近傍の空気の吸入により、ラジエータ本体４７２を効率的に冷却して、発熱部材４４１〜４４３，４１４から冷却液体を介したラジエータ本体４７２への放熱特性を良好にすることができ、発熱部材４４１〜４４３，４１４を効率的に冷却できる。
また、ラジエータ本体４７２を冷却することで、ラジエータ本体４７２から他の部材に熱が伝達されることを防止でき、外装筺体２内部の温度上昇を回避できる。
【０１０２】
さらに、ラジエータブロック４７内部に形成される空気流通路が吸気側ダクト４７１の導入口４７１１と排気側ダクト４７４の排出口４７４２を介してのみラジエータブロック４７外部と連通する。そして、外装筺体２内部にラジエータブロック４７を配置した場合には、吸気側ダクト４７１の導入口４７１１と外装筺体２の吸気口２８とが接続し、排気側ダクト４７４の排出口４７４２と外装筺体２の排気口２１Ｅ２とが接続する。このことにより、空気流通路と、ラジエータブロック４７外部とが隔離された状態となり、冷却ファン４７３により吸気口２８を介して外装筺体２外部の冷却空気をラジエータブロック４７内部に取り込んだ場合であっても、前記冷却空気に含まれる塵埃等がプロジェクタ１を構成する内部の部材に付着することがない。また、外装筺体２内部に塵埃等が含まれている場合であっても、外装筺体２内部において、ラジエータブロック４７を除く他の空間の空気が空気流通路に取り込まれることがなく、外装筺体２内部の塵埃等がプロジェクタ１を構成する内部の部材に付着することもない。このため、プロジェクタ１を構成する内部の部材の特性を良好に維持できる。特に、光源装置４１１や、光学部品４１２〜４１５，４１８，４２１〜４２３，４３１〜４３４，４４１〜４４４に塵埃等が付着することがなく、照度の低下や、光学像に不要な像が含まれることを効果的に回避でき、投影画像を鮮明な状態で良好に維持できる。
【０１０３】
また、空気流通路とラジエータブロック４７外部とを隔離した状態とすることで、外装筺体２外部からの空気の取り込み口（吸気口２８、あるいは吸気側ダクト４７１の導入口４７１１）に塵埃等を除去するエアーフィルタを設ける必要がない。このため、プロジェクタ１の低コスト化を図れる。
【０１０４】
ここで、発熱部材４４１〜４４３，４１４とラジエータ本体４７２とは、光変調素子保持体４４６、偏光板保持体４４７、および偏光変換素子保持体４８の発熱部材接続部、複数の液体循環部材４９、および冷却液体による対流熱伝達を利用した導熱部材により熱伝達可能に接続されている。このことにより、発熱部材４４１〜４４３，４１４で発生した熱を前記導熱部材によって、発熱部材４４１〜４４３，４１４から離れた位置に導くことができ、ラジエータブロック４７を発熱部材４４１〜４４３，４１４に近接した位置に設置しなくてもよい。このため、プロジェクタ１の設計の自由度が高まるとともに、プロジェクタ１の小型化の障害となることも回避できる。
また、冷却ファン４７３がシロッコファンで構成されているので、空気流通路を略Ｌ字状の流通路で形成できる。このため、例えば、冷却ファン４７３を軸流ファンで構成し空気流通路を略直線状の流通路で形成した構成と比較して、吸気側ダクトや排気側ダクトの筒状軸方向の長さを短く設定でき、ラジエータブロック４７の小型化を図れる。また、このように構成することで、外装筺体２内部において、空きスペースとなりやすい前面視右側前方の角部分の空間にラジエータブロック４７を設置することができ、プロジェクタ１の設計の自由度がさらに高まるとともに、プロジェクタ１の小型化を図れる。
【０１０５】
さらに、液体圧送部４６により複数の液体循環部材４９を介して強制的に循環させているので、発熱部材４４１〜４４３，４１４により温められた発熱部材接続部４４６，４４７，４８内の冷却液体を複数の液体循環部材を介してラジエータ本体４７２内部へと流出させ、また、ラジエータブロック４７にて冷却された冷却液体を複数の液体循環部材４９を介して発熱部材接続部４４６，４４７，４８内に流入させ、発熱部材接続部４４６，４４７，４８内の冷却液体の入れ換えを確実に実施できる。したがって、発熱部材４４１〜４４３，４１４と冷却液体との間で常に大きい温度差を確保し、冷却液体と発熱部材４４１〜４４３，４１４との熱交換効率を向上させることができる。
【０１０６】
さらにまた、ラジエータ本体４７２は、一対の液体蓄積部４７２１Ａ，４７２１Ｂを備え、循環する冷却液体を一時的に蓄積可能に構成されている。このことにより、冷却液体に気泡や塵埃等が含まれている場合であっても、一対の液体蓄積部４７２１Ａ，４７２１Ｂ内に冷却液体が一時的に蓄積された際に、気泡等を浮力により上昇させて液体蓄積部４７２１Ａ，４７２１Ｂ内の鉛直方向上方側に溜めることができる。このため、一対の液体蓄積部４７２１Ａ，４７２１Ｂにより、循環する冷却液体に含まれる気泡等を除去でき、気泡等を取り込むことによる液体圧送部４６の不具合等を回避できる。
また、一対の液体蓄積部４７２１Ａ，４７２１Ｂ、および接続部４７２２を構成する複数の板体４７２２Ａで囲まれる複数の空間Ａｒに空気が流通する構成としているので、前記空気と接触する接触面積を大きくすることができ、ラジエータ本体４７２の冷却効率を向上させることができる。
【０１０７】
ここで、一対の液体蓄積部４７２１Ａ，４７２１Ｂにそれぞれ設けられた流通管４７２１Ｃの一方の端部は、液体蓄積部４７２１Ａ，４７２１Ｂの内部に向けて突出し、液体蓄積部４７２１Ａ，４７２１Ｂにおける垂直方向略中央部分に位置するように形成されている。このことにより、液体蓄積部４７２１Ａ，４７２１Ｂの内部が全て冷却液体で満たされていない場合でも、該冷却液体の液面よりも鉛直方向下方側に流通管４７２１Ｃの一方の端部を位置付けることができ、流通管４７２１Ｃを介して液体蓄積部４７２１Ａ内部に冷却液体を流入させる際に内部の冷却液体に空気を混入させることがない。また、流通管４７２１Ｃを介して液体蓄積部４７２１Ｂ内部の冷却液体を流出させる際に空気を混入させることなく冷却液体のみを外部へと流出させることができる。したがって、気泡等を取り込むことによる液体圧送部４６の不具合等を効果的に回避できる。
【０１０８】
また、流通管４７２１Ｃの一方の端部が液体蓄積部４７２１Ａ，４７２１Ｂにおける垂直方向略中央部分まで突出しているので、プロジェクタ１を所定の姿勢で設置した場合（プロジェクタ１の底面を机等の接地面に接地した状態）、および、前記所定の姿勢に対して鉛直方向に逆の姿勢で設置した場合（プロジェクタ１の天面を天井等の接地面に接地した状態）の双方において、前記一方の端部を液体蓄積部４７２１Ａ，４７２１Ｂ内の同一の位置に位置付けることができる。このため、上記の双方の姿勢において、冷却液体の液面よりも鉛直方向下方側に流通管４７２１Ｃの一方の端部を位置付けることが可能となる。
【０１０９】
ここで、吸気側ダクト４７１、ラジエータ本体４７２、冷却ファン４７３、および排気側ダクト４７４は、固定部材４７５の一部材により一体化される構成であるので、隣接する部材と対向する位置にそれぞれ隣接する部材と接続するための接続部を形成する必要がなく、各部材４７１〜４７４の構造の簡素化を図れるとともに、ラジエータブロック４７の組み立てを容易に実施できる。
また、固定部材４７５は、ラジエータ本体４７２および冷却ファン４７３の間に配設され、冷却ファン４７３の吸入口４７３２に対応した形状を有する開口４７５５が形成されているので、例えば、固定部材４７５を用いない構成と比較して、ラジエータ本体４７２の大きさを自由に設定でき、すなわち、ラジエータ本体４７２における複数の空間Ａｒの占める面積を冷却ファン４７３の吸入口４７３２の面積よりも大きく設定でき、ラジエータブロック４７の設計の自由度を向上できる。
さらに、吸気側ダクト４７１の排出口４７１２にラジエータ本体４７２の空気の流入側を嵌め込み可能とし、固定部材４７５の一方の端部の開口にラジエータ本体４７２の空気の流出側を嵌め込み可能としているので、吸気側ダクト４７１、ラジエータ本体４７２、および固定部材４７５の組み立てを簡単に実施できる。
さらにまた、吸気側ダクト４７１および固定部材４７５を上述した形状とすることで、吸気側ダクト４７１およびラジエータ本体４７２の間、ラジエータ本体４７２および固定部材４７５の間、固定部材４７５および冷却ファン４７３の間から空気が漏れることを効果的に防止できる。
【０１１０】
以上、本発明について好適な実施形態を挙げて説明したが、本発明は、これらの実施形態に限定されるものではなく、本発明の要旨を逸脱しない範囲において種々の改良並びに設計の変更が可能である。
前記実施形態では、発熱部材として、液晶パネル４４１、入射側偏光板４４２、射出側偏光板４４３、および偏光変換素子４１４を採用したが、これに限らず、その他の発熱部材を冷却する構成としても構わない。例えば、光源装置４１１を発熱部材として該光源装置４１１を冷却する構成としても構わない。すなわち、本実施形態では、電子機器としてプロジェクタ１を用いた構成を採用したが、これに限らず、本発明は、その他の発熱部材（例えば、ＣＰＵ等の回路素子）を備えた他の電子機器（例えば、パーソナルコンピュータ等）にも採用可能である。
【０１１１】
前記実施形態では、発熱部材４４１〜４４３，４１４とラジエータ本体４７２とは、発熱部材接続部４４６，４４７，４８、複数の液体循環部材４９、および冷却液体による対流熱伝達を利用した導熱部材により熱伝達可能に接続されていたが、これに限らない。
例えば、発熱部材と放熱装置本体とを、物質の移動を伴わず熱が導熱部材中を伝わる、所謂、熱伝導を利用した導熱部材にて接続した構成を採用してもよい。
また、例えば、上述した冷却液体以外の冷媒の対流熱伝達を利用した導熱部材としては、冷媒の還流に毛細管現象を利用したヒートパイプや、冷媒の還流に重力を利用した熱サイホンで構成された導熱部材を採用してもよい。
【０１１２】
前記実施形態において、発熱部材接続部４４６，４４７，４８の構成や、冷却液体の流路は、前記実施形態で説明した構成や流路に限らず、その他の構成や流路を採用しても構わない。
例えば、発熱部材接続部４４６，４４７，４８は、冷却液体を光透過領域を除く管状の液体流通管４４６１，４４７１，４８１内を流通させる構成としたが、これに限らず、光透過領域と対向する位置、すなわち、発熱部材４４１〜４４３，４１４の光束入射側および／または光束射出側に冷却液体を充填する構成を採用してもよい。
また、発熱部材接続部としての光変調素子保持体４４６、偏光板保持体４４７、および偏光変換素子保持体４８の製造方法は、前記実施形態で説明した製造方法に限らない。例えば、以下に示すように、製造しても構わない。
先ず、光学素子（液晶パネル４４１、入射側偏光板４４２、射出側偏光板４４３、および偏光変換素子４１４）の光透過領域を囲む環形状を有するように、金属製の筒状部材に曲げ加工を施して液体流通管を形成する。例えば、前記液体流通管の形状は、前記実施形態で説明した液体流通管４４６１，４４７１，４８１と同様の形状を採用できる。
この後、図示しない金型内に前記液体流通管を収納する。この状態で、熱伝導性を有する樹脂組成物を所定の温度で加熱して溶融状態とし、図示しない前記金型を所定の温度に加熱しつつ、前記金型内に前記液体流通管の外側から溶融状態の前記樹脂組成物を射出する。そして、前記液体流通管および光学素子支持枠が一体化され、光学素子保持体が製造される。例えば、前記光学素子支持枠の形状は、前記実施形態で説明した光学素子支持枠４４６２，４４７２，４８２と同様の形状を採用できる。
【０１１３】
前記実施形態では、ラジエータブロック４７は、空気流通路の上流側から、吸気側ダクト４７１、ラジエータ本体４７２、固定部材４７５、冷却ファン４７３、および排気側ダクト４７４の順に配設されていたが、これに限らず、ラジエータ本体４７２、固定部材４７５、冷却ファン４７３の配設順序は、その他の配設順序を採用しても構わない。
前記実施形態において、吸気側ダクト４７１、ラジエータ本体４７２、固定部材４７５、冷却ファン４７３、および排気側ダクト４７４の各形状は、前記実施形態で説明した形状に限らず、ラジエータブロック４７内部に形成される空気流通路が導入口４７１１および排出口４７４２を介してのみラジエータブロック４７外部と連通する構成とすれば、いずれの形状を採用してもよい。また、固定部材４７５を省略した構成を採用しても構わない。
【０１１４】
前記実施形態では、放熱装置として、ラジエータブロック４７の他、以下に示す放熱装置を併設してもよい。
図２４は、放熱装置の他の例を示す図である。
この放熱装置５７は、図２４に示すように、外装筐体２の天面部２１Ａの裏面に取り付けられ、外装筺体２の天面部２１Ａよりも若干小さい面積を有する熱伝導性を有する板体５７１と、板体５７１の板面と熱伝達可能に接続し板体５７１の板面上で蛇行形状を有するように配設され内部に冷却液体を流通させる熱伝導性材料から構成される液体流通管５７２とで構成される。
そして、光学装置４を流通する冷却液体の流路中に放熱装置５７を配設することで、光学装置本体４４や偏光変換素子４１４にて温められた冷却液体の熱は、液体流通管５７２から板体５７１へと伝達され、板体５７１から空気中に放熱される。放熱された熱は排気ファン６１によりプロジェクタ１外部へ放出される。また、板体５７１へ伝達された熱をさらに外装筺体２へ伝達して外装筺体２から空気中へ放熱させてもよい。
なお、放熱装置５７は、外装筺体２の天面部２１Ａの裏面に取り付ける構成に限らず、その配設位置は、特に限定されない。
【０１１５】
前記実施形態において、光学装置４を流通する冷却液体の流量は、いずれの位置でも略同一に設定していたが、これに限らず、冷却対象となる光学素子の発熱量に応じて、流量を異なるものとする構成を採用してもよい。例えば、偏光変換素子４１４の発熱量が光学装置本体４４の発熱量よりも低い場合には、液体循環部材４９の内径の変更等により、光学装置本体４４側に流通する冷却液体の流量よりも、偏光変換素子４１４側に流通する冷却液体の流量が小さくなるように設定する。また、流量を異なるものとする構成としては、液体循環部材４９の内径の変更に限らず、冷却液体の流路中に弁を設け、該弁の位置を変更することで流路を狭めたり拡げたりする構成を採用してもよい。
【０１１６】
前記実施形態では、光学装置４が平面視略Ｌ字形状を有した構成を説明したが、これに限らず、例えば、平面視略Ｕ字形状を有した構成を採用してもよい。
前記実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記実施形態では、光入射面と光射出面とが異なる透過型の液晶パネルを用いていたが、光入射面と光射出面とが同一となる反射型の液晶パネルを用いてもよい。
前記実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【０１１７】
本発明を実施するための最良の構成などは、以上の記載で開示されているため、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０１１８】
本発明の電子機器は、外装筺体内部の温度上昇を回避しつつ発熱部材を効率的に冷却できかつ、構成部材の特性を良好に維持できるため、プレゼンテーションやホームシアターに用いられるプロジェクタに利用できる。
【図面の簡単な説明】
【０１１９】
【図１】本実施形態におけるプロジェクタの外観を示す斜視図。
【図２】前記実施形態におけるプロジェクタの内部構成を示す図。
【図３】前記実施形態における光学装置の概略構成を示す斜視図。
【図４】前記実施形態における光学装置の概略構成を示す斜視図。
【図５】前記実施形態における光学装置の光学系を模式的に示す平面図。
【図６】前記実施形態における光学装置本体の概略構成を示す図。
【図７】前記実施形態における光学装置本体の概略構成を示す図。
【図８】前記実施形態における光学装置本体の概略構成を示す図。
【図９】前記実施形態における光学部品用筐体に対する光学装置本体の取付構造を示す図。
【図１０】前記実施形態における光変調素子保持体の概略構成を示す斜視図。
【図１１】前記実施形態における光変調素子保持体の概略構成を示す斜視図。
【図１２】前記実施形態における液晶パネルおよび入射側偏光板が支持された状態で光変調素子保持体を上下方向略中心位置を通る水平方向の平面で切断した断面図。
【図１３】前記実施形態における液体流通管の概略構成を示す図。
【図１４】前記実施形態における液体流通管の概略構成を示す図。
【図１５】前記実施形態における偏光板保持体の概略構成を示す斜視図。
【図１６】前記実施形態における偏光板保持体の概略構成を示す斜視図。
【図１７】前記実施形態における偏光変換素子保持体の概略構成を示す図。
【図１８】前記実施形態における偏光変換素子保持体の概略構成を示す図。
【図１９】前記実施形態におけるラジエータブロックの概略構成を示す図。
【図２０】前記実施形態におけるラジエータブロックの概略構成を示す図。
【図２１】前記実施形態におけるラジエータブロックの概略構成を示す図。
【図２２】前記実施形態におけるラジエータ本体を示す断面図。
【図２３】前記実施形態における冷却液体の流路を模式的に示す図。
【図２４】前記実施形態の変形例を示す図。
【符号の説明】
【０１２０】
１・・・プロジェクタ（電子機器）、２・・・外装筺体、３・・・投射レンズ（投射光学装置）、２１Ｅ２・・・排気口、２８・・・吸気口、４６・・・液体圧送部、４７・・・ラジエータブロック（放熱装置）、４８・・・偏光変換素子保持体（発熱部材接続部）、４９・・・液体循環部材、４１１・・・光源装置、４１４・・・偏光変換素子（発熱部材）、４４１・・・液晶パネル（発熱部材）、４４２・・・入射側偏光板（発熱部材）、４４３・・・射出側偏光板（発熱部材）、４４６・・・光変調素子保持体（発熱部材接続部）、４４７・・・偏光板保持体（発熱部材接続部）、４７１・・・吸気側ダクト、４７２・・・ラジエータ本体（放熱装置本体）、４７３・・・冷却ファン、４７４・・・排気側ダクト、４７５・・・固定部材、４７１１・・・導入口、４７１２，４７４２・・・排出口、４７２１Ａ，４７２１Ｂ・・・液体蓄積部、４７２１Ｃ・・・流通管（流通部）、４７２２・・・接続部、４７２２Ａ・・・板体、４７３２・・・吸入口、４７５５・・・開口、Ａｒ・・・空間。
【図１】
2007041414.tif 000003
【図２】
2007041414.tif 000004
【図３】
2007041414.tif 000005
【図４】
2007041414.tif 000006
【図５】
2007041414.tif 000007
【図６】
2007041414.tif 000008
【図７】
2007041414.tif 000009
【図８】
2007041414.tif 000010
【図９】
2007041414.tif 000011
【図１０】
2007041414.tif 000012
【図１１】
2007041414.tif 000013
【図１２】
2007041414.tif 000014
【図１３】
2007041414.tif 000015
【図１４】
2007041414.tif 000016
【図１５】
2007041414.tif 000017
【図１６】
2007041414.tif 000018
【図１７】
2007041414.tif 000019
【図１８】
2007041414.tif 000020
【図１９】
2007041414.tif 000021
【図２０】
2007041414.tif 000022
【図２１】
2007041414.tif 000023
【図２２】
2007041414.tif 000024
【図２３】
2007041414.tif 000025
【図２４】
2007041414.tif 000026